(57)【要約】【課題】上りリンクパケットデータのサービスを支援する移動通信システムにおいて、小さいブロックサイズで伝送される制御情報を高い信頼度で伝送する方法及び装置を提供する。【解決手段】上りリンクパケットデータの伝送のために使用可能な最大許容データレートを示す６ビットのＡＧ情報を生成し、ＣＲＣと端末識別子を結合して１６ビットの端末特定ＣＲＣを生成して前記ＡＧ情報に前記端末特定ＣＲＣと８ビットのテールビットを追加した後に、１／３の符号率で符号化して９０ビットの符号化されたビットを生成する。符号化ビットは所定のレートマッチングパターンに応じてレートマッチングされて端末に伝送される。レートマッチングパターンは、{1,2,5,6,7,11,12,14,15,17,23,24,31,37,44,47,61,63,64,71,72,75,77,80,83,84,85,87,88,90}である。【選択図】図３
2006166438.tif 000002
【特許請求の範囲】
【請求項１】
移動通信システムにおける上りリンクパケットデータの伝送に関連した制御情報を伝送する方法であって、
制御情報のエラー検出のために生成されたＣＲＣ(Cyclic Redundancy Check Code)と前記制御情報を適用する端末を識別するための端末識別子とを結合して、１６ビットの端末特定ＣＲＣを生成するステップと、
６ビットの制御情報に前記端末特定ＣＲＣと８ビットのテールビットとを追加した後に、１/３の符号率で符号化して９０ビットの符号化されたビットを生成するステップと、
前記符号化されたビットを所定のレートマッチングパターンに応じてレートマッチングして６０ビットのレートマッチングされたブロックを生成するステップと、
前記レートマッチングされたブロックを前記端末に伝送するステップと
を備え、
ここで、前記符号化されたビットの穿孔ビットの位置を示す前記レートマッチングパターンは、{1, 2, 5, 6, 7, 11, 12, 14, 15, 17, 23, 24, 31, 37, 44, 47, 61, 63, 64, 71, 72, 75, 77, 80, 83, 84, 85, 87, 88, 90}であることを特徴とする制御情報の伝送方法。
【請求項２】
前記制御情報は、前記上りリンクパケットデータの伝送のために使用可能な最大許容データレートを示すことを特徴とする請求項１に記載の制御情報の伝送方法。
【請求項３】
前記制御情報は、前記最大許容データレートに相当する５ビットのパワーオフセット及び前記制御情報が複合自動再伝送要求(ＨＡＲＱ)の全体のプロセスに有効であるかどうかを示す１ビットの有効プロセス指示子で構成されることを特徴とする請求項２に記載の制御情報の伝送方法。
【請求項４】
前記端末特定ＣＲＣは、前記制御情報のエラー検出のための１６ビットのＣＲＣと前記１６ビットの端末識別子を、モジュロ-２演算して生成されることを特徴とする請求項１に記載の制御情報の伝送方法。
【請求項５】
移動通信システムにおける上りリンクパケットデータの伝送に関連した制御情報を伝送する装置であって、
制御情報のエラー検出のために生成されたＣＲＣと、前記制御情報を適用する端末を識別するための端末識別子(ＵＥ-ＩＤ)とを結合して、１６ビットの端末特定ＣＲＣを生成する端末特定ＣＲＣ結合器と、
６ビットの制御情報に前記端末の特定ＣＲＣと８ビットのテールビットとを追加した後に、１/３の符号率で符号化して９０ビットの符号化されたビットを生成するチャンネル符号化器と、
前記符号化されたビットを所定のレートマッチングパターンに応じてレートマッチングして、６０ビットのレートマッチングされたブロックを生成するレートマッチング部と、
前記レートマッチングされたブロックを前記端末に伝送する物理チャンネルマッピング部と
を備え、
ここで、前記符号化されたビットの穿孔ビットの位置を示す前記レートマッチングパターンは、{1, 2, 5, 6, 7, 11, 12, 14, 15, 17, 23, 24, 31, 37, 44, 47, 61, 63, 64, 71, 72, 75, 77, 80, 83, 84, 85, 87, 88, 90}であることを特徴とする制御情報の伝送装置。
【請求項６】
前記制御情報は、前記上りリンクパケットデータの伝送のために使用可能な最大許容データレートを示すことを特徴とする請求項５に記載の制御情報の伝送装置。
【請求項７】
前記制御情報は、前記最大許容データレートに相当する５ビットのパワーオフセット及び前記制御情報が複合自動再伝送要求(ＨＡＲＱ)の全体のプロセスに有効であるかどうかを示す１ビットの有効プロセス指示子で構成されることを特徴とする請求項６に記載の制御情報の伝送装置。
【請求項８】
前記端末特定ＣＲＣは、前記制御情報のエラー検出のための１６ビットのＣＲＣと前記１６ビットの端末識別子をモジュロ-２演算して生成されることを特徴とする請求項５に記載の制御情報の伝送装置。
【請求項９】
移動通信システムにおける上りリンクパケットデータの伝送に関連した制御情報を受信する方法であって、
基地局から受信した信号から６０ビットのレートマッチングされたブロックを抽出するステップと、
前記レートマッチングされたブロックを所定のレートマッチングパターンに応じて逆レートマッチングして９０ビットの符号化されたビットを出力するステップと、
前記符号化されたビットを１/３の符号率で復号化して６ビットの制御情報と１６ビットの端末特定ＣＲＣを出力するステップと、
前記端末特定ＣＲＣを検査して前記制御情報を出力するステップと
を備え、
ここで、前記レートマッチングされたブロックの逆穿孔ビットの位置を示す前記レートマッチングパターンは、{1, 2, 5, 6, 7, 11, 12, 14, 15, 17, 23, 24, 31, 37, 44, 47, 61, 63, 64, 71, 72, 75, 77, 80, 83, 84, 85, 87, 88, 90}であることを特徴とする制御情報の受信方法。
【請求項１０】
前記制御情報は、前記上りリンクパケットデータの伝送のために使用可能な最大許容データレートを示すことを特徴とする請求項９に記載の制御情報の受信方法。
【請求項１１】
前記制御情報は、前記最大許容データレートに相当する５ビットのパワーオフセット及び前記制御情報が複合自動再伝送要求(ＨＡＲＱ)の全体のプロセスに有効であるかどうかを示す１ビットの有効プロセス指示子で構成されることを特徴とする請求項１０に記載の制御情報の受信方法。
【請求項１２】
前記端末特定ＣＲＣは、前記制御情報のエラー検出のための１６ビットのＣＲＣと前記１６ビットの端末識別子をモジュロ-２演算して生成されることを特徴とする請求項９に記載の制御情報の受信方法。
【請求項１３】
移動通信システムにおける上りリンクパケットデータの伝送に関連した制御情報を受信する装置であって、
基地局から受信した信号から６０ビットのレートマッチングされたブロックを抽出する逆物理チャンネルマッピング部と、
前記レートマッチングされたブロックを所定のレートマッチングパターンに応じて逆レートマッチングして、９０ビットの符号化されたビットを出力する逆レートマッチング部と、
前記符号化されたビットを１/３の符号率で復号化して６ビットの制御情報と１６ビットの端末特定ＣＲＣを出力するチャンネル復号化器と、
前記端末特定ＣＲＣを検査して前記制御情報を出力するＣＲＣ検査器と
を備え、
ここで、前記レートマッチングされたブロックの逆穿孔ビットの位置を示す前記レートマッチングパターンは、{1, 2, 5, 6, 7, 11, 12, 14, 15, 17, 23, 24, 31, 37, 44, 47, 61, 63, 64, 71, 72, 75, 77, 80, 83, 84, 85, 87, 88, 90}であることを特徴とする制御情報の受信装置。
【請求項１４】
前記制御情報は、前記上りリンクパケットデータの伝送のために使用可能な最大許容データレートを示すことを特徴とする請求項１３に記載の制御情報の受信装置。
【請求項１５】
前記制御情報は、前記最大許容データレートに相当する５ビットのパワーオフセット及び前記制御情報が複合自動再伝送要求(ＨＡＲＱ)の全体のプロセスに有効であるかどうかを示す１ビットの有効プロセス指示子で構成されることを特徴とする請求項１４に記載の制御情報の受信装置。
【請求項１６】
前記端末特定ＣＲＣは、前記制御情報のエラー検出のための１６ビットのＣＲＣと前記１６ビットの端末識別子をモジュロ-２演算して生成されることを特徴とする請求項１３に記載の制御情報の受信装置。
【発明の詳細な説明】
【技術分野】
【０００１】
本発明はパケットデータのサービスを支援する移動通信システムに係り、特に、複合自動再伝送(Hybrid Automatic Repeat Request；ＨＡＲＱ)のための制御情報を伝送する方法及び装置に関する。
【背景技術】
【０００２】
ヨーロッパ移動通信システムであるＧＳＭ(Global System for Mobile Communications)とＧＰＲＳ(General Packet Radio Services)に基づく広帯域符号分割多重接続(Wideband Code Division Multiple Access；ＷＣＤＭＡ)を用いる第３世代の移動通信システムであるＵＭＴＳ(Universal Mobile Telecommunication Service)システムは、携帯電話やコンピュータのユーザーが世界のどこにいるかにかかわらず、パケット基盤のテキスト、デジタル音声やビデオ及びマルチメディアデータを２Mbps以上の高速で伝送する一貫したサービスを提供する。
【０００３】
特に、ＵＭＴＳシステムは、ユーザー端末(User Equipment；ＵＥ)から基地局(Base Station；ＢＳ, Node Ｂ)への上りリンク(Uplink；ＵＬ)通信において、パケット伝送の性能をさらに向上させるように上りリンク専用チャンネル(Enhanced Uplink Dedicated Channel；以下、ＥＵＤＣＨ又はＥ−ＤＣＨと称する)との伝送チャンネルを用いる。Ｅ−ＤＣＨはより安定した高速のデータ伝送を支援するために、適応的変調/符号化(Adaptive Modulation and Coding；ＡＭＣ)、複合自動再伝送要求(Hybrid Automatic Retransmission Request；ＨＡＲＱ)、短いＴＴＩ(Shorter Transmission Time Interval)及び基地局制御スケジューリングなどの技術を支援する。
【０００４】
ＡＭＣは、基地局と端末との間のチャンネルの状態に従い、データチャンネルの変調方式とコーディング(Modulation and Coding Scheme；ＭＣＳ)方式を決めて資源の使用効率を高める技術である。支援可能な変調方式とコーディング方式に応じて各種のＭＣＳレベルの定義が可能である。即ち、ＡＭＣはＭＣＳのレベルを端末と基地局との間のチャンネルの状態に応じて適応的に決めて使用効率を高める。
【０００５】
ＨＡＲＱは、初期に伝送されたデータパケットにエラーが発生した場合、前記エラーパケットを補償するためにエラーの発生したパケットを再伝送する技法を示す。短いＴＴＩは、現在のRel.５の最小のＴＴＩである１０msより小さいＴＴＩを用いてパケットデータの伝送を許容することにより、再伝送の遅延時間を減らしてシステムの高性能を可能にする。ここで、前記短いＴＴＩとしては２ｍｓが考慮されている。
【０００６】
基地局制御スケジューリングは、Ｅ−ＤＣＨを用いてデータを伝送する場合、上りデータの伝送許容有無及び可能なデータレートの上限値などを基地局が決定し、前記決定情報を端末へ伝送すれば、端末が前記スケジューリング命令に基づきデータレートを決定してＥ−ＤＣＨを伝送する方式をいう。
【０００７】
前記基地局制御スケジューリングは、システムの全体性能を高めるために基地局の測定雑音増加(Noise Rise又はRise over thermal；ＲｏＴ)値が目標値を超えないようにしながら、基地局から遠くにある端末へは低いデータ伝送率を割当てし、近くにある端末へは高いデータ伝送率を割当てする方式で行われる。ＲｏＴは基地局が上りリンクで用いる無線資源を示し、下記の式（１）のように定義される。
【数１】
2006166438.tif 000003
【０００８】
ここで、Ｉ０は基地局の全受信帯域における電力スペクトル密度を示し、基地局が受信する全ての上りリンク信号の量を示す。Ｎ０は基地局の熱雑音電力スペクトル密度である。従って、許容最大ＲｏＴは基地局が上りリンクで使用可能な全体無線資源となる。
基地局の全体ＲｏＴはセル間の干渉、音声トラフィック及びＥ−ＤＣＨトラフィックの和として表現される。基地局制御スケジューリングを使用すれば、複数の端末が同時に高いデータ伝送率でパケットデータを伝送する現象が防止できて受信ＲｏＴを目標(target)ＲｏＴ以下に維持して受信性能を保証する。
【０００９】
図１は、Ｅ−ＤＣＨによる典型的なデータ送受信過程を示した流れ図である。ここで、端末はＥ−ＤＣＨで上りリンクデータを送信し、基地局は前記端末に対して基地局スケジューリングを行う。
図１を参照すれば、前記基地局と端末はステップ１０２でＥ−ＤＣＨを設定する。前記設定は専用伝送チャンネルでメッセージを伝送するステップを含む。前記Ｅ−ＤＣＨの設定が行われると、ステップ１０４で端末は基地局にスケジューリング情報を知らせる。前記スケジューリング情報としては、端末の送信電力情報と余分の電力情報を含む上りリンクチャンネル情報及び端末へ送信されるバッファリングデータの量が含まれうる。
【００１０】
基地局はステップ１０６で複数の端末から受信されるスケジューリング情報をモニタリングしながら、各々の端末をスケジューリングする。基地局が前記端末に上りリンクパケットの伝送を許容しようと決定した場合、基地局は端末にステップ１０８のようにスケジューリング割当て情報を含むスケジューリング命令(Scheduling Grant)を伝送する。前記スケジューリング割当て情報には最大許容データレート及び許容タイミング又は以前の最大許容データレートに対する増加/維持/減少情報などが含まれる。前記端末は前記スケジューリング割当て情報を用いてステップ１１０でＥ−ＤＣＨの伝送形式(Transport Format；Ｅ-ＴＦ)を決定し、ステップ１１２及びステップ１１４でＥ-ＴＦ情報をＥ−ＤＣＨパケットデータとともに基地局へ伝送する。
【００１１】
基地局はステップ１１６で前記Ｅ-ＴＦ情報と前記Ｅ−ＤＣＨパケットデータでエラーが存在するかどうかを判断する。いずれか一つでエラーが存在する場合はＮＡＣＫ(negative acknowledgement)信号をＡＣＫ/ＮＡＣＫチャンネルを用いて端末に伝送し、両方でエラーが存在しない場合はステップ１１８でＡＣＫ(acknowledgement)信号をＡＣＫ/ＮＡＣＫチャンネルを用いて端末に伝送する。ここで、ＡＣＫが伝送されれば、端末は前記Ｅ−ＤＣＨパケットデータに対する伝送が完了して新たなデータを伝送し、ＮＡＣＫが伝送されれば、端末はＥ−ＤＣＨを用いて前記Ｅ−ＤＣＨパケットデータを基地局へ再伝送する。
【００１２】
基地局は上述した環境下でスケジューリングを効率的に行うために端末のバッファ状態及びパワー状態に対するスケジューリング情報を端末から受信して遠くにある端末又はチャンネル状況の良くない端末、サービスしようとするデータの優先順位の低い端末には低いデータレートを割当てし、近くにある端末、チャンネル状況の良い端末又はサービスしようとするデータの優先順位の高い端末には高いデータレートを割当てする。しかしながら、基地局がＥ−ＤＣＨを用いて端末にスケジューリング命令として端末の最大許容可能なデータレートの絶対値を指示するＡＧ(absolute grant)又は以前の最大許容データレートに対する増加/維持/減少を指示するＲＧ(Relative grant)を伝送することにおいて、前記スケジューリング命令の信頼度の高い送受信のための技術が必要とされている。
【発明の開示】
【発明が解決しようとする課題】
【００１３】
前記要求を満たすための本発明の目的は、Ｅ−ＤＣＨのスケジューリング命令のように小さいブロックサイズを有する制御情報の伝送信頼度を最適化する方法及び装置を提供することにある。
また他の本発明の目的は、端末の最大許容データレートを指示するＡＧ(absolute grant)のように高い信頼度が要求される情報の伝送のための方法及び装置を提供することにある。
【課題を解決するための手段】
【００１４】
前記目的を達成するための本発明の一側面によれば、移動通信システムにおける上りリンクパケットデータの伝送に関連した制御情報を伝送する方法であって、制御情報のエラー検出のために生成されたＣＲＣ(Cyclic Redundancy Check code)と前記制御情報を適用する端末を識別するための端末識別子(ＵＥ-ＩＤ)とを結合して１６ビットの端末特定ＣＲＣを生成するステップと、６ビットの制御情報に前記端末特定ＣＲＣと８ビットのテールビットとを追加した後に、１/３の符号率で符号化して９０ビットの符号化されたビットを生成するステップと、前記符号化されたビットを所定のレートマッチングパターンに応じてレートマッチングして６０ビットのレートマッチングされたブロックを生成するステップと、前記レートマッチングされたブロックを前記端末に伝送するステップとを備え、ここで、前記符号化されたビットの穿孔ビットの位置を示す前記レートマッチングパターンは、{1, 2, 5, 6, 7, 11, 12, 14, 15, 17, 23, 24, 31, 37, 44, 47, 61, 63, 64, 71, 72, 75, 77, 80, 83, 84, 85, 87, 88, 90}であることを特徴とする。
【００１５】
本発明の他の側面によれば、移動通信システムにおける上りリンクパケットデータの伝送に関連した制御情報を伝送する装置であって、制御情報のエラー検出のために生成されたＣＲＣと前記制御情報を適用する端末を識別するための端末識別子(ＵＥ-ＩＤ)とを結合して１６ビットの端末特定ＣＲＣを生成する端末特定ＣＲＣ結合器と、６ビットの制御情報に前記端末の特定ＣＲＣと８ビットのテールビットとを追加した後に、１/３の符号率で符号化して９０ビットの符号化されたビットを生成するチャンネル符号化器と、前記符号化されたビットを所定のレートマッチングパターンに応じてレートマッチングして６０ビットのレートマッチングされたブロックを生成するレートマッチング部と、前記レートマッチングされたブロックを前記端末に伝送する物理チャンネルマッピング部とを備え、ここで、前記符号化されたビットの穿孔ビットの位置を示す前記レートマッチングパターンは、{1, 2, 5, 6, 7, 11, 12, 14, 15, 17, 23, 24, 31, 37, 44, 47, 61, 63, 64, 71, 72, 75, 77, 80, 83, 84, 85, 87, 88, 90}であることを特徴とする。
【００１６】
本発明のまた他の側面によれば、移動通信システムにおける上りリンクパケットデータの伝送に関連した制御情報を受信する方法であって、基地局から受信した信号から６０ビットのレートマッチングされたブロックを抽出するステップと、前記レートマッチングされたブロックを所定のレートマッチングパターンに応じて逆レートマッチングして９０ビットの符号化されたビットを出力するステップと、前記符号化されたビットを１/３の符号率で復号化して６ビットの制御情報と１６ビットの端末特定ＣＲＣを出力するステップと、前記端末特定ＣＲＣを検査して前記制御情報を出力するステップとを備え、ここで、前記レートマッチングされたブロックの逆穿孔ビットの位置を示す前記レートマッチングパターンは、{1, 2, 5, 6, 7, 11, 12, 14, 15, 17, 23, 24, 31, 37, 44, 47, 61, 63, 64, 71, 72, 75, 77, 80, 83, 84, 85, 87, 88, 90}であることを特徴とする。
【００１７】
さらに、本発明のまた他の側面によれば、移動通信システムにおける上りリンクパケットデータの伝送に関連した制御情報を受信する装置であって、基地局から受信した信号から６０ビットのレートマッチングされたブロックを抽出する逆物理チャンネルマッピング部と、前記レートマッチングされたブロックを所定のレートマッチングパターンに応じて逆レートマッチングして９０ビットの符号化されたビットを出力する逆レートマッチング部と、前記符号化されたビットを１/３の符号率で復号化して６ビットの制御情報と１６ビットの端末特定ＣＲＣを出力するチャンネル復号化器と、前記端末特定ＣＲＣを検査して前記制御情報を出力するＣＲＣ検査器とを備え、ここで、前記レートマッチングされたブロックの逆穿孔ビットの位置を示す前記レートマッチングパターンは、{1, 2, 5, 6, 7, 11, 12, 14, 15, 17, 23, 24, 31, 37, 44, 47, 61, 63, 64, 71, 72, 75, 77, 80, 83, 84, 85, 87, 88, 90}であることを特徴とする。
【発明の効果】
【００１８】
本発明によれば、ブロック内の各ビットの位置によるビットエラー率の変化を減らしてブロックエラー率の性能を改善させるレートマッチングパターンを提供することにより、端末の最大許容可能なデータレートの絶対値を指示するＡＧ情報の伝送信頼度を向上させうる。さらに、同じブロックエラー率を得るために必要な電力消耗を減らすことにより、下りリンク干渉を最小化することもできる。
【発明を実施するための最良の形態】
【００１９】
以下、本発明の好適な一実施形態を添付図面に参照して詳細に説明する。下記の説明において、本発明の要旨のみを明瞭にする目的で、関連した公知の機能又は構成に関する具体的な説明は省略する。
【００２０】
本明細書では、具体的にＵＭＴＳ通信システムの向上した上りリンク専用チャンネル(Ｅ−ＤＣＨ)に基づく実施形態を説明する。Ｅ−ＤＣＨで基地局が端末へＡＧ(absolute grant)情報を伝送するための物理チャンネルはＥ−ＡＧＣＨ(Ｅ−ＤＣＨ Absolute Grant Channel)と称する。前記ＡＧ情報は基地局のスケジューラーによって端末から受信したスケジューリング情報と基地局の上りリンク無線資源に応じて決定される。
【００２１】
前記ＡＧ情報は、端末が使用可能な最大上りリンク無線資源の量を示す端末の最大許容データレート又は、それに相当するパワーオフセット、前記ＡＧ情報の有効時間を指示するＡＧ有効時間指示子及び前記ＡＧ情報がＨＡＲＱの一つのプロセスのみで又はＨＡＲＱの全てのプロセスで有効であるかどうかを示すＡＧ有効プロセス指示子などの情報で構成されうる。ここで、前記パワーオフセットは、電力制御される基準物理チャンネル(具体的には専用物理制御チャンネル(Dedicated Physical Control Channel；ＤＰＣＣＨ))に対してＥ−ＤＣＨがマッピングされる専用物理データチャンネル(Enhanced Dedicated Physical Data Channel；Ｅ-ＤＰＤＣＨ)の最大電力比(power ratio)を示す。前記端末の最大許容データレート又は、それに相当するパワーオフセットは４〜８ビット、前記ＡＧ有効時間指示子は１ビット、前記ＡＧ有効プロセス指示子は１ビットとして考慮されている。さらに、前記Ｅ−ＡＧＣＨは、共通チャンネル上の端末識別のためのＵＥ-ＩＤと前記ＡＧ情報のエラー検出のためのＣＲＣ(Cyclic Redundancy Check Code)を必要とする。前記ＵＥ-ＩＤ及びＣＲＣは、それぞれ１６ビットを備え、ビットの単位でモジュロ-２（modulo-2）演算されてＵＥ-ＩＤでマスキングされた１６ビットのＣＲＣの形態としてＡＧ情報とともにＥ−ＡＧＣＨを用いて伝送される制御情報に含まれる。
【００２２】
従って、前記Ｅ−ＡＧＣＨの前記制御情報は全部で２１〜２６ビットとして考慮される。このように構成される制御情報、特に、ＡＧ情報は効率的な無線資源の割当てを制御するためのものであり、伝送過程で高い信頼度を必要とする。一般の通信システムでは、データの信頼度の高い送受信のためにチャンネル符号化を使用する。前記チャンネル符号化は伝送しようとするデータに付加情報を加えることにより、受信側で伝送過程で発生したエラーを復旧可能にする。
【００２３】
Ｅ−ＡＧＣＨの信頼度の高い送受信のためのチャンネル符号化方法としては、３ＧＰＰ標準規格に定義されている拘束長(Constraint length)が９であり、符号率が１/３である畳込み符号(Convolutional code)を考慮することができる。Ｅ−ＡＧＣＨで伝送される２１〜２６ビットの制御情報には前記畳込み符号化によって８ビットのテールビット(tail bits)が加えられた後に、１/３の符号率を適用して８７〜１０２の符号化ビット((２１＋８)*３＝８７,(２６＋８)*３＝１０２)に符号化される。
【００２４】
図２Ａは、３ＧＰＰ標準規格に定義されている拘束長が９であり、符号率が１/３である畳込み符号の符号化器を示す。
図２Ａを参照すれば、前記符号化器２００は８つの直列連結シフトレジスタ２０２，２０４，２０６，２０８，２１０，２１２，２１４，２１６と、入力ビット又は前記シフトレジスタ(２０２〜２１６)の出力ビットを入力とする複数の加算器２０２ｂ,２０２ｃ,２０４ａ,２０４ｃ,２０６ａ，２０６ｂ,２０８ｂ,２１０ａ,２１０ｃ,２１２ａ,２１４ａ,２１４ｂ,２１６ａ,２１６ｂ，２１６ｃとを備え、８つのテールビットを含む入力情報は一番目のビットからシフトレジスタ(２０２〜２１６)を順次で追加してoutput０, output１, output２, output０, output１, output２,…の順序で符号化ビットを生成する。
【００２５】
チャンネル符号化された制御情報はＥ−ＡＧＣＨの２ｍｓのＴＴＩで伝送される。Ｅ−ＡＧＣＨに拡散指数(Spreading Factor；ＳＦ)２５６とＱＰＳＫ(Quadrature Phase Shift Keying)の変調方式を適用すると、前記２ｍｓのＴＴＩで伝送可能なビットの数は全部で６０ビットとなる。従って、前記Ｅ−ＡＧＣＨで伝送される符号化された制御情報のうち、最小２７ビット(＝８７−６０)乃至最大４２ビット(＝１０２−６０)は穿孔される。レートマッチングは前記穿孔のために用いられることができる。前記レートマッチングは、前記拡散指数と変調方式などを考慮して一ブロックのチャンネル符号化されたビット列で特定位置のビットを穿孔又は繰り返すことにより、チャンネル符号化されたビットの数と物理チャンネルで伝送可能なビットの数を同じにマッチさせる役割を行う。通常、レートマッチングは前記チャンネル符号化されたビット列で穿孔又は繰り返すビットの位置をできるだけ等しい間隔で維持する。
【００２６】
しかしながら、小さいサイズ(例えば、およそ２０ビット)の制御情報を伝送するＥ−ＡＧＣＨに前記レートマッチング規則を適用する場合、最適のブロックエラー率(Block Error Rate;ＢＬＥＲ)が達成しにくい。上述したように相対的に少ない数のビットで構成されるブロックを畳込み符号化し、前記レートマッチング動作を適用すれば、前記一ブロックの始り部分及び終わり部分のビットエラー率(Bit Error Rate;ＢＥＲ)は低くなり、ブロックの中間部分のビットエラーは高くなる。これはブロックエラー率(ＢＬＥＲ)を高め、Ｅ−ＡＧＣＨの信頼度を低める。ここで、ブロックエラーは一ブロック内で少なくとも一つ以上のビットに対してエラーが発生する場合を示し、一ブロック内で特定部分のビットエラー率が低くても残り部分のビットエラー率が高ければ、ブロックエラー率の観点では性能改善の効果がなく、性能悪化が生ずる。
【００２７】
Ｅ−ＡＧＣＨ制御情報の信頼度の高い、すなわち、エラーの少ない送受信のためにはＥ−ＡＧＣＨ制御情報のブロックエラー率を低めるべきであるが、従来のレートマッチング動作はブロック内のビットの位置に応じてビットエラー率の偏差が大きくて最適のブロックエラー率性能を得ることができない。
【００２８】
従って、本発明の好ましい実施形態では、ブロックエラー率を最小化して小さいブロックのサイズで制御情報の伝送が可能なレートマッチングを提供する。即ち、およそ２０ビットの小さい制御情報を畳込み符号でチャンネル符号化して伝送するＥ−ＡＧＣＨにおいて、一ブロックの制御情報内でビットの位置に応じるビットエラー率の変化を最小化することにより、ブロックエラー率を低めるレートマッチングパターンを提案する。
本発明の好ましい実施形態は前記Ｅ−ＡＧＣＨで伝送される制御情報のブロックエラー率の性能を改善させるレートマッチングパターンを示す。次の実施形態１はＡＧ情報が６ビットで構成される場合、実施形態２はＡＧ情報が７ビットで構成される場合、実施形態３はＡＧ情報が８ビットで構成される場合、実施形態４はＡＧ情報が９ビットで構成される場合、実施形態５はＡＧ情報が１０ビットで構成される場合、実施形態６はＡＧ情報が５ビットで構成される場合に対する各々のレートマッチングパターン及び送受信動作を説明する。
【００２９】
＜実施形態１＞
本発明の実施形態１はＡＧ情報が６ビットで構成される場合に対するレートマッチングパターンを示す。例えば、前記ＡＧ情報は端末が使用可能な最大上りリンク無線資源の量を示す端末の４ビットの最大許容データレート又はこれに相当する４ビットのパワーオフセット、前記ＡＧ情報の有効時間を示す１ビットのＡＧ有効時間指示子及び前記ＡＧ情報がＨＡＲＱの一つのプロセスのみで又はＨＡＲＱの全てのプロセスで有効であるかどうかを示す１ビットのＡＧ有効プロセス指示子で構成されるか、または前記端末の５ビットの最大許容データレート又は、それに相当するパワーオフセットとＡＧ情報の有効時間を指示する１ビットのＡＧ有効時間指示子で構成される。
【００３０】
その他の場合、前記ＡＧ情報は前記端末の５ビットの最大許容データレート又は、それに相当するパワーオフセットと１ビットのＡＧ情報有効プロセス指示子で構成されるか、または前記端末の最大許容データレート又は、それに相当するパワーオフセット、前記ＡＧ有効時間指示子、前記ＡＧ有効プロセス指示子及び他のＥ−ＡＧＣＨの制御のためのビットを含み全部で６ビットで構成される。
【００３１】
一方、前記Ｅ−ＡＧＣＨは前記ＡＧ情報とともに、共通チャンネル上で各端末を識別するＵＥ-ＩＤ及びＡＧ情報のエラー検出のためのＣＲＣ(Cyclic Redundancy Check)を運ぶ。前記ＵＥ-ＩＤ及びＣＲＣは、それぞれ１６ビットを備え、各ビットに応じてモジュロ-２演算が行われてＵＥ-ＩＤでマスキングされた１６ビットのＣＲＣの形態で伝送される。このように生成された１６ビットのＣＲＣをＵＥ-ＩＤ specific ＣＲＣという。前記端末は前記ＵＥ-ＩＤ specific ＣＲＣを用いて受信したＡＧ情報が自分に割当てられたかを調べる。
【００３２】
前記６ビットのＡＧ情報と前記１６ビットのＵＥ-ＩＤ specific ＣＲＣを連接させた合計２２ビットの制御情報に８ビットのテールビットを加えた後に、符号率１/３、拘束長９の畳込み符号で符号化すれば、９０ビットの符号化されたビット列で構成される一つのチャンネル符号化されたブロックが生成される。前記９０ビットのチャンネル符号化されたブロックは、拡散指数２５６及びＱＰＳＫ変調方式を使用する２ｍｓのＥ−ＡＧＣＨ ＴＴＩで伝送されるために３０ビットの穿孔が行われる。これにより、６０ビットのレートマッチングされたブロックが生成される。前記穿孔ビットの位置を示すレートマッチングパターンはシミュレーション過程で前記レートマッチングされたブロック内の各ビットの位置によるビットエラー率の変化を減らすことにより、ブロックエラー率の性能を改善させる。次のようなレートマッチングパターンを使用することができる。
【００３３】
レートマッチングパターン＝
{1, 2, 5, 6, 7, 11, 12, 14, 15, 17, 23, 24, 31, 37, 44, 47, 61, 63, 64, 71, 72, 75, 77, 80, 83, 84, 85, 87, 88, 90} 又は 
{1, 2, 3, 4, 5, 6, 7, 8, 12, 14, 15, 18, 24, 48, 51, 54, 57, 60, 63, 66, 75, 78, 80, 81, 83, 84, 86, 87, 89, 90} 又は 
{1, 2, 3, 4, 5, 6, 7, 8, 12, 14, 15, 18, 21, 24, 57, 60, 66, 69, 75, 78, 80, 81, 83, 84, 85, 86, 87, 88, 89, 90} 又は 
{1, 2, 3, 5, 6, 7, 8, 12, 14, 15, 18, 23, 25, 48, 50, 52, 57, 59, 61, 71, 75, 77, 79, 80, 82, 84, 86, 87, 88, 89} 又は 
{1, 2, 3, 4, 5, 6, 7, 8, 12, 14, 15, 24, 42, 48, 54, 57, 60, 66, 75, 78, 80, 81, 83, 84, 85, 86, 87, 88, 89, 90} 又は 
{1, 2, 3, 4, 5, 6, 7, 8, 12, 14, 15, 18, 24, 48, 50, 52, 57, 59, 61, 66, 75, 78, 80, 81, 83, 84, 86, 87, 89, 90} 又は 
{1, 2, 3, 4, 5, 6, 7, 8, 12, 14, 15, 24, 42, 54, 57, 60, 66, 69, 75, 78, 80, 81, 83, 84, 85, 86, 87, 88, 89, 90} 又は 
{1, 2, 3, 5, 6, 7, 8, 10, 12, 14, 15, 18, 23, 25, 50, 52, 57, 59, 61, 71, 75, 77, 79, 80, 82, 84, 86, 87, 88, 89} 
【００３４】
前記レートマッチングパターンの各成分は番号１から番号９０までのチャンネル符号化されたビットのうち、穿孔されるビットの位置を示す。Ｅ−ＡＧＣＨのＴＴＩの長さが１０ｍｓであれば、前記２ｍｓ ＴＴＩのＥ−ＡＧＣＨの構造を五回繰り返して１０ｍｓ ＴＴＩのＥ−ＡＧＣＨを具現することができる。
図３は、本発明の実施形態１を具現するためのＥ−ＡＧＣＨの基地局送信装置を示す。
【００３５】
図３を参照すれば、６ビットのＡＧ情報３０２はＵＥ-ＩＤ specific ＣＲＣ結合器３０４に印加され、前記ＵＥ-ＩＤ specific ＣＲＣ結合器３０４は前記ＡＧ情報から１６ビットのＣＲＣを生成する。前記ＵＥ-ＩＤ specific ＣＲＣ結合器３０４は前記１６ビットのＣＲＣと前記ＡＧ情報が適用される端末を識別するための１６ビットのＵＥ-ＩＤとをモジュロ-２演算してＵＥ-ＩＤ specific ＣＲＣを生成した後に、前記生成されたＵＥ-ＩＤ specific ＣＲＣを前記ＡＧ情報と結合して２２ビットの制御情報をチャンネル符号化器３０８に印加する。前記チャンネル符号化器３０８は拘束長９、符号率１/３の畳込み符号を用いることにより、 前記２２ビットの制御情報に対して８ビットのテールビットを追加した後に、符号率１/３を適用して９０個の符号化されたビットで構成される符号化されたブロックを出力する。
【００３６】
レートマッチング部３１０は前記９０ビットサイズの符号化されたブロックに対して所定のレートマッチングパターンに応じて穿孔を行いレートマッチングされたブロックを生成し、物理チャンネルマッピング部３１２は前記レートマッチングされたブロックをＥ−ＡＧＣＨ３１４の２ｍｓ ＴＴＩの構造に合う物理チャンネルフレームにマッピングさせてＥ−ＡＧＣＨ３１４に伝送する。この際、制御情報送信制御器３１６はＵＥ-ＩＤ specific ＣＲＣ結合器３０４、チャンネル符号化器３０８、レートマッチング部３１０及び物理チャンネルマッピング部３１２などによる、Ｅ−ＤＣＨのための制御情報の伝送を制御する。制御情報送信制御器３１６は、チャンネル符号化器３０８のためのチャンネル符号率、レートマッチング部３１０のためのレートマッチングパターンなどを管理する。特に、前記制御情報送信制御器３１６は上述した複数のレートマッチングパターンのうち、少なくとも一つを貯蔵し、前記レートマッチング部３１０に前記レートマッチングパターンのうち、一つを適用する。ここで、前記適用するレートマッチングパターンは送信側と受信側で予め約束される。前記制御情報送信制御器３１６はＥ−ＤＣＨによるパケットデータの受信を制御するパケットデータ受信制御器(図示せず)に含まれうる。
【００３７】
図４は、本発明の実施形態１を具現するためのＥ−ＡＧＣＨの端末受信装置を示す。
図４を参照すれば、端末はＥ−ＡＧＣＨ４０２を用いて信号を受信する。逆物理チャンネルマッピング部４０４は前記信号から２ｍｓのＴＴＩでレートマッチングされたブロックを抽出して逆レートマッチング部４０６に印加する。前記逆レートマッチング部４０６は基地局のレートマッチング部３１０で使用されたものと同じレートマッチングパターンを適用して前記レートマッチングされたブロックに対して前記レートマッチング部３１０で穿孔されたビットを復旧（逆穿孔）して符号化されたブロックを構成する。ここで、穿孔されたビットの位置はビット‘０’として満たされる。一方、前記Ｅ−ＡＧＣＨが２ｍｓのＴＴＩを五回繰り返した１０ｍｓのＴＴＩを使用すれば、前記逆物理チャンネルマッピング部４０４と逆レートマッチング部４０６は２ｍｓのＴＴＩに対する同じ動作を五回繰返して符号化されたサブブロックを構成した後に、前記符号化されたサブブロックを一つの符号化されたブロックに結合する。
【００３８】
チャンネル復号化器４０８は前記符号化されたブロックを復号してＵＥ-ＩＤ specific ＣＲＣ分離器４１０に印加する。前記復号されたブロックは６ビットのＡＧ情報と１６ビットのＵＥ-ＩＤ specific ＣＲＣに分離される。前記ＵＥ-ＩＤ specific ＣＲＣ分離器４１０は、前記１６ビットのＵＥ-ＩＤ specific ＣＲＣと前記端末の１６ビットのＵＥ-ＩＤ４１２をモジュロ-２演算して１６ビットのＣＲＣを抽出し、前記抽出したＣＲＣと前記ＡＧ情報をＣＲＣ検査器４１４に印加する。前記ＣＲＣ検査器４１４は前記１６ビットＣＲＣを検査して前記ＡＧ情報のエラー有無を調べる。前記ＣＲＣの検査に成功すれば、前記ＣＲＣ検査器４１４は前記ＡＧ情報をエラーのないＡＧ情報４１６として出力し、前記ＡＧ情報４１６はＥ−ＤＣＨによるパケットデータの最大許容データレートの決定に用いられる。一方、前記ＣＲＣの検査に失敗すれば、前記ＡＧ情報は廃棄される。
【００３９】
この際、制御情報受信制御器４１８は逆物理チャンネルマッピング部４０４、逆レートマッチング部４０６、チャンネル復号化器４０８、ＵＥ-ＩＤ specific ＣＲＣ分離器４１０及びＣＲＣ検査器４１４などによる、Ｅ−ＤＣＨのための制御情報の受信を制御する。より詳しくは、前記制御情報受信制御器４１８は逆レートマッチング部４０６のためのレートマッチングパターン及びチャンネル復号化器４０８のためのチャンネル符号率などを管理する。特に、前記制御情報受信制御器４１８は開示した複数のレートマッチングパターンのうち、少なくとも一つを貯蔵し、前記逆レートマッチング部４０６に前記レートマッチングパターンのうち、一つを適用する。前記制御情報受信制御器４１８はＥ−ＤＣＨによるパケットデータの送信を制御するパケットデータ送信制御器(図示せず)に含まれうる。
【００４０】
＜実施形態２＞
本発明の実施形態２はＡＧ情報が７ビットで構成される場合に対するレートマッチングパターンを示す。例えば、前記ＡＧ情報は端末が使用可能な最大上りリンク無線資源の量を示す端末の５ビットの最大許容データレート又は、それに相当する５ビットのパワーオフセット、前記ＡＧ情報の有効時間を指示する１ビットのＡＧ有効時間指示子及び前記ＡＧ情報がＨＡＲＱの一つのプロセスのみで又はＨＡＲＱの全てのプロセスで有効であるかどうかを示す１ビットのＡＧ有効プロセス指示子で構成されるか、または前記端末の６ビットの最大許容データレート又は、それに相当するパワーオフセットとＡＧ情報の有効時間を指示する１ビットのＡＧ有効時間指示子で構成される。
【００４１】
その他の場合、前記ＡＧ情報は前記端末の６ビットの最大許容データレート又は、それに相当するパワーオフセットと１ビットのＡＧ情報有効プロセス指示子で構成されるか、または前記端末の最大許容データレート又は、それに相当するパワーオフセット、前記ＡＧ有効時間指示子、前記ＡＧ有効プロセス指示子及び他のＥ−ＡＧＣＨの制御のためのビットを含み全部で７ビットで構成される。
【００４２】
一方、前記Ｅ−ＡＧＣＨは前記ＡＧ情報とともに、共通チャンネル上で各端末を識別するＵＥ-ＩＤ及びＡＧ情報のエラー検出のためのＣＲＣを運ぶ。前記ＵＥ-ＩＤ及びＣＲＣは、それぞれ１６ビットを備え、各ビットに応じてモジュロ-２演算が行われてＵＥ-ＩＤでマスキングされた１６ビットのＣＲＣの形態で伝送される。このように生成された１６ビットのＣＲＣをＵＥ-ＩＤ specific ＣＲＣという。前記端末は前記ＵＥ-ＩＤ specific ＣＲＣを用いて受信したＡＧ情報が自分に割当てられたかを調べる。
【００４３】
前記７ビットのＡＧ情報と前記１６ビットのＵＥ-ＩＤ specific ＣＲＣを連接させた合計２３ビットの制御情報に８ビットのテールビットを加えた後に、符号率１／３、拘束長９の畳込み符号で符号化すれば、９３ビットの符号化されたビット列で構成される一つのチャンネル符号化されたブロックが生成される。前記９３ビットのチャンネ符号化されたブロックは、拡散指数２５６及びＱＰＳＫ変調方式を使用する２ｍｓのＥ−ＡＧＣＨ ＴＴＩで伝送されるために３３ビットの穿孔が行われる。これにより、６０ビットのレートマッチングされたブロックが生成される。前記穿孔ビットの位置を示すレートマッチングパターンはシミュレーション過程で前記レートマッチングされたブロック内の各ビットの位置によるビットエラー率の変化を減らすことにより、ブロックエラー率の性能を改善させる。次のようなレートマッチングパターンを使用することができる。
【００４４】
レートマッチングパターン＝ 
{1, 3, 4, 5, 7, 9, 11, 12, 13, 15, 17, 20, 23, 42, 45, 46, 50, 54, 70, 71, 74, 77, 80, 81, 82, 83, 85, 86, 87, 89, 90, 91, 93} 又は 
{1, 2, 3, 4, 5, 6, 7, 8, 10, 12, 14, 15, 21, 24, 42, 47, 54, 56, 58, 66, 68, 78, 81, 83, 84, 86, 87, 88, 89, 90, 91, 92, 93} 又は 
{1, 2, 3, 5, 6, 7, 8, 10, 12, 14, 15, 16, 21, 23, 42, 47, 49, 54, 56, 58, 66, 68, 73, 78, 80, 82, 83, 85, 87, 89, 90, 91, 92} 又は 
{1, 2, 3, 4, 5, 6, 7, 8, 10, 12, 14, 15, 21, 23, 25, 42, 47, 54, 56, 58, 66, 68, 73, 78, 80, 82, 83, 85, 87, 89, 90, 91, 92} 又は 
{1, 2, 3, 5, 6, 7, 8, 12, 14, 15, 16, 21, 23, 25, 42, 47, 49, 54, 56, 58, 66, 68, 75, 77, 79, 82, 83, 85, 87, 89, 90, 91, 92} 又は 
{1, 2, 3, 4, 5, 6, 7, 8, 10, 12, 14, 15, 21, 24, 42, 48, 54, 57, 60, 66, 69, 78, 81, 83, 84, 86, 87, 88, 89, 90, 91, 92, 93} 又は 
{1, 2, 3, 4, 5, 6, 7, 8, 12, 14, 15, 16, 21, 23, 28, 42, 49, 54, 56, 58, 66, 68, 74, 78, 80, 82, 83, 85, 87, 89, 90, 91, 92} 又は 
{1, 2, 3, 4, 5, 6, 7, 8, 10, 12, 14, 15, 18, 21, 24, 27, 54, 57, 60, 66, 69, 78, 81, 83, 84, 86, 87, 88, 89, 90, 91, 92, 93} 又は 
{1, 2, 3, 4, 5, 6, 7, 8, 12, 14, 15, 21, 24, 42, 48, 54, 57, 60, 63, 66, 69, 78, 81, 83, 84, 86, 87, 88, 89, 90, 91, 92, 93} 又は 
{1, 2, 3, 4, 5, 6, 7, 8, 12, 14, 15, 21, 24, 42, 48, 54, 57, 60, 63, 66, 69, 72, 75, 78, 81, 83, 84, 86, 87, 89, 90, 92, 93} 
【００４５】
前記レートマッチングパターンの各成分は番号１から番号９３までのチャンネル符号化されたビットのうち、穿孔されるビットの位置を示す。Ｅ−ＡＧＣＨのＴＴＩの長さが１０ｍｓであれば、前記２ｍｓ ＴＴＩのＥ−ＡＧＣＨの構造を五回繰り返して１０ｍｓ ＴＴＩのＥ−ＡＧＣＨを具現する。
【００４６】
図３を参照して本発明の実施形態２を具現するためのＥ−ＡＧＣＨの基地局送信装置を説明する。
図３を参照すれば、７ビットのＡＧ情報３０２はＵＥ-ＩＤ specific ＣＲＣ結合器３０４に印加され、前記ＵＥ-ＩＤ specific ＣＲＣ結合器３０４は前記ＡＧ情報から１６ビットのＣＲＣを生成する。前記ＵＥ-ＩＤ specific ＣＲＣ結合器３０４は前記１６ビットのＣＲＣと前記ＡＧ情報が適用される端末を識別するための１６ビットのＵＥ-ＩＤとをモジュロ-２演算してＵＥ-ＩＤ specific ＣＲＣを生成した後に、前記生成されたＵＥ-ＩＤ specific ＣＲＣを前記ＡＧ情報と結合して２３ビットの制御情報をチャンネル符号化器３０８に印加する。前記チャンネル符号化器３０８は拘束長９、符号率１/３の畳込み符号を用いることにより、前記２３ビットの制御情報に対して８ビットのテールビットを追加した後に、符号率１/３を適用して９３個の符号化されたビットで構成される符号化されたブロックを出力する。
【００４７】
レートマッチング部３１０は前記９３ビットサイズの符号化されたブロックに対して所定のレートマッチングパターンに応じて穿孔を行いレートマッチングされたブロックを生成し、物理チャンネルマッピング部３１２は前記レートマッチングされたブロックをＥ−ＡＧＣＨ３１４の２ｍｓ ＴＴＩの構造に合う物理チャンネルフレームにマッピングさせてＥ−ＡＧＣＨ３１４に伝送する。この際、制御情報送信制御器３１６はＵＥ-ＩＤ specific ＣＲＣ結合器３０４、チャンネル符号化器３０８、レートマッチング部３１０及び物理チャンネルマッピング部３１２などによる、Ｅ−ＤＣＨのための制御情報の伝送を制御する。制御情報送信制御器３１６は前記複数のレートマッチングパターンのうち、少なくとも一つを貯蔵し、前記レートマッチング部３１０に前記レートマッチングパターンのうち、予め約束した一つを適用する。
【００４８】
図４を参照して本発明の実施形態２を具現するためのＥ−ＡＧＣＨの端末受信装置を説明する。
図４を参照すれば、端末はＥ−ＡＧＣＨ４０２を用いて信号を受信する。逆物理チャンネルマッピング部４０４は前記信号から２ｍｓのＴＴＩでレートマッチングされたブロックを抽出して逆レートマッチング部４０６に印加する。前記逆レートマッチング部４０６は基地局のレートマッチング部３１０で使用されたものと同じレートマッチングパターンを適用して前記レートマッチングされたブロックに対して前記レートマッチング部３１０で穿孔されたビットを復旧（逆穿孔）して符号化されたブロックを構成する。一方、前記Ｅ−ＡＧＣＨが２ｍｓのＴＴＩを五回繰り返した１０ｍｓのＴＴＩを使用すれば、前記逆物理チャンネルマッピング部４０４と逆レートマッチング部４０６は２ｍｓのＴＴＩに対する同じ動作を五回繰り返して符号化されたサブブロックを構成した後に、前記符号化されたサブブロックを一つの符号化されたブロックに結合する。
【００４９】
チャンネル復号化器４０８は前記符号化されたブロックを復号してＵＥ-ＩＤ specific ＣＲＣ分離器４１０に印加する。前記復号されたブロックは７ビットのＡＧ情報と１６ビットのＵＥ-ＩＤ specific ＣＲＣに分離される。前記ＵＥ-ＩＤ specific ＣＲＣ分離器４１０は、前記１６ビットのＵＥ-ＩＤ specific ＣＲＣと前記端末の１６ビットＵＥ-ＩＤ４１２をモジュロ-２演算して１６ビットのＣＲＣを抽出し、前記抽出したＣＲＣと前記ＡＧ情報をＣＲＣ検査器４１４に印加する。前記ＣＲＣ検査器４１４は前記１６ビットのＣＲＣを検査して前記ＡＧ情報のエラー有無を調べる。前記ＣＲＣの検査に成功すれば、前記ＣＲＣ検査器４１４は前記ＡＧ情報をエラーのないＡＧ情報１６として出力し、前記ＡＧ情報４１６はＥ−ＤＣＨによるパケットデータの最大許容データレートの決定に用いられる。一方、前記ＣＲＣの検査に失敗すれば、前記ＡＧ情報は廃棄される。
【００５０】
この際、制御情報受信制御器４１８は逆物理チャンネルマッピング部４０４、逆レートマッチング部４０６、チャンネル復号化器４０８、ＵＥ-ＩＤ specific ＣＲＣ分離器４１０及びＣＲＣ検査器４１４などによる、Ｅ−ＤＣＨのための制御情報の受信を制御する。
【００５１】
＜実施形態３＞
本発明の実施形態３はＡＧ情報が８ビットで構成される場合に対するレートマッチングパターンを示す。例えば、前記ＡＧ情報は端末が使用可能な最大上りリンク無線資源の量を示す端末の６ビットの最大許容データレート又は、それに相当する６ビットのパワーオフセット、前記ＡＧ情報の有効時間を指示する１ビットのＡＧ有効時間指示子及び前記ＡＧ情報がＨＡＲＱの一つのプロセスのみで又はＨＡＲＱの全てのプロセスで有効であるかどうかを示す１ビットのＡＧ有効プロセス指示子で構成されるか、または前記端末の７ビットの最大許容データレート又は、それに相当するパワーオフセットとＡＧ情報時間を指示する１ビットのＡＧ有効時間指示子で構成される。
【００５２】
その他の場合、前記ＡＧ情報は前記端末の７ビットの最大許容データレート又は、それに相当するパワーオフセットと１ビットのＡＧ情報有効プロセス指示子で構成されるか、または前記端末の最大許容データレート又は、それに相当するパワーオフセット、前記ＡＧ有効時間指示子、前記ＡＧ有効プロセス指示子及び他のＥ−ＡＧＣＨの制御のためのビットを含み全部で８ビットの制御情報で構成される。
【００５３】
一方、前記Ｅ−ＡＧＣＨは前記ＡＧ情報とともに、共通チャンネル上で各端末を識別するＵＥ-ＩＤ及びＡＧ情報のエラー検出のためのＣＲＣを運ぶ。前記ＵＥ-ＩＤ及びＣＲＣは、それぞれ１６ビットを備え、各ビットに応じてモジュロ-２演算が行われてＵＥ-ＩＤでマスキングされた１６ビットのＣＲＣの形態で伝送される。このように生成された１６ビットのＣＲＣをＵＥ-ＩＤ specific ＣＲＣという。前記端末は前記ＵＥ-ＩＤ specific ＣＲＣを用いて受信したＡＧ情報が自分に割当てられたかを調べる。
【００５４】
前記８ビットのＡＧ情報と前記１６ビットのＵＥ-ＩＤ specific ＣＲＣを連接させた合計２４ビットの制御情報に８ビットのテールビットを加えた後に、符号率１/３、拘束長９の畳込み符号で符号化すれば、９６ビットの符号化されたビット列で構成される一つのチャンネル符号化されたブロックが生成される。前記９６ビットのチャンネル符号化されたブロックは、拡散指数２５６及びＱＰＳＫ変調方式を使用する２ｍｓのＥ−ＡＧＣＨ ＴＴＩで伝送されるために３６ビットの穿孔が行われる。これにより、６０ビットのレートマッチングされたブロックが生成される。前記穿孔ビットの位置を示すレートマッチングパターンはシミュレーション過程で前記レートマッチングされたブロック内の各ビットの位置によるビットエラー率の変化を減らすことにより、ブロックエラー率の性能を改善させる。次のようなレートマッチングパターンを使用することができる。
【００５５】
レートマッチングパターン＝
{1, 3, 4, 6, 7, 8, 11, 13, 14, 20, 22, 23, 24, 25, 32, 36, 40, 44, 47, 50, 58, 64, 70, 73, 76, 77, 79, 80, 83, 86, 88, 89, 92, 93, 94, 96}又は 
{1, 2, 3, 4, 5, 6, 7, 8, 12, 14, 15, 19, 24, 29, 35, 37, 45, 47, 50, 54, 58, 62, 68, 75, 82, 85, 86, 87, 89, 90, 91, 92, 93, 94, 95, 96}又は 
{1, 2, 3, 5, 6, 7, 9, 11, 13, 15, 21, 23, 25, 32, 41, 43, 48, 50, 52, 57, 59, 64, 69, 75, 77, 79, 82, 83, 86, 87, 88, 90, 92, 93, 94, 95}又は 
{1, 2, 3, 5, 6, 7, 9, 11, 13, 15, 21, 23, 25, 30, 32, 41, 43, 48, 50, 52, 57, 59, 64, 69, 77, 79, 82, 83, 86, 87, 88, 90, 92, 93, 94, 95}又は 
{1, 2, 3, 5, 6, 7, 9, 11, 13, 15, 21, 23, 25, 32, 48, 50, 52, 57, 59, 61, 66, 68, 70, 75, 77, 79, 82, 83, 86, 87, 88, 90, 92, 93, 94, 95}又は 
{1, 2, 3, 5, 6, 7, 9, 11, 13, 15, 21, 23, 25, 30, 32, 34, 41, 43, 48, 50, 52, 57, 59, 64, 69, 79, 82, 83, 86, 87, 88, 90, 92, 93, 94, 95}又は 
{1, 2, 3, 4, 5, 6, 7, 8, 12, 14, 15, 24, 27, 30, 33, 42, 45, 48, 51, 54, 57, 60, 66, 69, 81, 84, 86, 87, 89, 90, 91, 92, 93, 94, 95, 96}又は 
{2, 3, 4, 5, 7, 9, 11, 13, 15, 21, 23, 25, 30, 32, 34, 39, 41, 43, 48, 50, 52, 57, 59, 64, 69, 80, 82, 84, 86, 87, 88, 90, 92, 93, 94, 95}又は 
{1, 2, 3, 4, 5, 6, 7, 8, 10, 12, 14, 15, 17, 18, 20, 21, 24, 27, 57, 60, 63, 66, 69, 72, 81, 84, 86, 87, 89, 90, 91, 92, 93, 94, 95, 96}又は 
{1, 2, 3, 4, 5, 6, 7, 8, 12, 14, 15, 24, 26, 28, 33, 42, 44, 46, 51, 53, 55, 60, 66, 69, 81, 84, 86, 87, 89, 90, 91, 92, 93, 94, 95, 96}又は 
{1, 2, 3, 4, 5, 6, 7, 8, 10, 12, 14, 15, 24, 27, 30, 33, 42, 45, 48, 51, 54, 57, 60, 66, 81, 84, 86, 87, 89, 90, 91, 92, 93, 94, 95, 96} 
【００５６】
前記レートマッチングパターンの各成分は番号１から番号９６までのチャンネル符号化されたビットのうち、穿孔されるビットの位置を示す。Ｅ−ＡＧＣＨのＴＴＩの長さが１０ｍｓであれば、前記２ｍｓＴＴＩのＥ−ＡＧＣＨの構造を五回繰り返して１０ｍｓＴＴＩのＥ−ＡＧＣＨを具現することができる。
【００５７】
図３を参照して本発明の実施形態３を具現するためのＥ−ＡＧＣＨの基地局送信装置を説明する。
図３を参照すれば、８ビットのＡＧ情報３０２はＵＥ-ＩＤ specific ＣＲＣ結合器３０４に印加され、前記ＵＥ-ＩＤ specific ＣＲＣ結合器３０４は前記ＡＧ情報から１６ビットのＣＲＣを生成する。前記ＵＥ-ＩＤ specific ＣＲＣ結合器３０４は前記１６ビットのＣＲＣと前記ＡＧ情報が適用される端末を識別するための１６ビットのＵＥ-ＩＤとをモジュロ-２演算してＵＥ-ＩＤ specific ＣＲＣを生成した後に、前記生成されたＵＥ-ＩＤ specific ＣＲＣを前記ＡＧ情報と結合して２４ビットの制御情報をチャンネル符号化器３０８に印加する。前記チャンネル符号化器３０８は拘束長９、符号率１/３の畳込み符号を用いることにより、前記２４ビットの制御情報に対して８ビットのテールビットを追加した後に、１/３の符号率を適用して９６個の符号化されたビットで構成される符号化されたブロックを出力する。
【００５８】
レートマッチング部３１０は前記９６ビットサイズの符号化されたブロックに対して所定のレートマッチングパターンに応じて穿孔を行いレートマッチングされたブロックを生成し、物理チャンネルマッピング部３１２は前記レートマッチングされたブロックをＥ−ＡＧＣＨ３１４の２ｍｓ ＴＴＩの構造に合う物理チャンネルフレームにマッピングさせてＥ−ＡＧＣＨ３１４に伝送する。この際、制御情報送信制御器３１６はＵＥ-ＩＤ specific ＣＲＣ結合器３０４、チャンネル符号化器３０８、レートマッチング部３１０及び物理チャンネルマッピング部３１２などによる、Ｅ−ＤＣＨのための制御情報の伝送を制御する。前記制御情報送信制御器３１６は前記複数のレートマッチングパターンのうち、少なくとも一つを貯蔵し、前記レートマッチング部３１０に前記レートマッチングパターンのうち、予め約束した一つを適用する。
【００５９】
図４を参照して本発明の実施形態３を具現するためのＥ−ＡＧＣＨの端末受信装置を説明する。
図４を参照すれば、端末はＥ−ＡＧＣＨ４０２を用いて信号を受信する。逆物理チャンネルマッピング部４０４は前記信号から２ｍｓのＴＴＩでレートマッチングされたブロックを抽出して逆レートマッチング部４０６に印加する。前記逆レートマッチング部４０６は基地局のレートマッチング部３１０で使用されたものと同じレートマッチングパターンを適用して前記レートマッチングされたブロックに対して前記レートマッチング部３１０で穿孔されたビットを復旧（逆穿孔）して符号化されたブロックを構成する。一方、前記Ｅ−ＡＧＣＨが２ｍｓのＴＴＩを五回繰り返した１０ｍｓのＴＴＩを使用すれば、前記逆物理チャンネルマッピング部４０４と逆レートマッチング部４０６は２ｍｓのＴＴＩに対する同じ動作を五回繰り返して符号化されたサブブロックを構成した後に、前記符号化されたサブブロックを一つの符号化されたブロックに結合する。
【００６０】
チャンネル復号化器４０８は前記符号化されたブロックを復号してＵＥ-ＩＤ specific ＣＲＣ分離器４１０に印加する。前記復号されたブロックは８ビットのＡＧ情報と１６ビットのＵＥ-ＩＤ specific ＣＲＣに分離される。前記ＵＥ-ＩＤ specific ＣＲＣ分離器４１０は、前記１６ビットのＵＥ-ＩＤ specific ＣＲＣと前記端末の１６ビットのＵＥ-ＩＤ４１２をモジュロ-２演算して１６ビットのＣＲＣを抽出し、前記抽出したＣＲＣと前記ＡＧ情報をＣＲＣ検査器４１４に印加する。前記ＣＲＣ検査器４１４は前記１６ビットのＣＲＣを検査して前記ＡＧ情報のエラー有無を調べる。前記ＣＲＣの検査に成功すれば、前記ＣＲＣ検査器４１４は前記ＡＧ情報をエラーのないＡＧ情報４１６として出力し、前記ＡＧ情報４１６はＥ−ＤＣＨによるパケットデータの最大許容データレートの決定に用いられる。一方、前記ＣＲＣの検査に失敗すれば、前記ＡＧ情報は廃棄される。
【００６１】
この際、制御情報受信制御器４１８は逆物理チャンネルマッピング部４０４、逆レートマッチング部４０６、チャンネル復号化器４０８、ＵＥ-ＩＤ specific ＣＲＣ分離器４１０及びＣＲＣ検査器４１４などによる、Ｅ−ＤＣＨのための制御情報の受信動作を制御する。
【００６２】
＜実施形態４＞
本発明の実施形態４はＡＧ情報が９ビットで構成される場合に対するレートマッチングパターンを示す。例えば、前記ＡＧ情報は端末が使用可能な最大上りリンク無線資源の量を示す端末の７ビットの最大許容データレート又は、それに相当する７ビットのパワーオフセット、前記ＡＧ情報の有効時間を指示する１ビットのＡＧ有効時間指示子及び前記ＡＧ情報がＨＡＲＱの一つのプロセスのみで又はＨＡＲＱの全てのプロセスで有効であるかどうかを示す１ビットのＡＧ有効プロセス指示子で構成されるか、または前記端末の８ビットの最大許容データレート又は、それに相当するパワーオフセットとＡＧ情報の有効時間を指示する１ビットのＡＧ有効時間指示子で構成される。
【００６３】
その他の場合、前記ＡＧ情報は前記端末の８ビットの最大許容データレート又は、それに相当するパワーオフセットと１ビットのＡＧ有効プロセス指示子で構成されるか、または前記端末の最大許容データレート又は、それに相当するパワーオフセット、前記ＡＧ有効時間指示子、前記ＡＧ有効プロセス指示子及び他のＥ−ＡＧＣＨの制御のためのビットを含み全部で９ビット で構成される。
【００６４】
一方、前記Ｅ−ＡＧＣＨは前記ＡＧ情報とともに、共通チャンネル上で各端末を識別するＵＥ-ＩＤ及びＡＧ情報のエラー検出のためのＣＲＣを運ぶ。前記ＵＥ-ＩＤ及びＣＲＣは、それぞれ１６ビットを備え、各ビットに応じてモジュロ-２演算が行われてＵＥ-ＩＤでマスキングされた１６ビットのＣＲＣの形態で伝送される。このように生成された１６ビットのＣＲＣをＵＥ-ＩＤ specific ＣＲＣという。前記端末は前記ＵＥ-ＩＤ specific ＣＲＣを用いて受信したＡＧ情報が自分に割当てられたかを調べる。
【００６５】
前記９ビットのＡＧ情報と前記１６ビットのＵＥ-ＩＤ specific ＣＲＣを連接させた合計２５ビットの制御情報に８ビットのテールビットを加えた後に、符号率１/３、拘束長９の畳込み符号で符号化すれば、９９ビットの符号化されたビット列で構成される一つのチャンネル符号化されたブロックが生成される。前記９９ビットのチャンネル符号化されたブロックは、拡散指数２５６及びＱＰＳＫ変調方式を使用する２ｍｓのＥ−ＡＧＣＨ ＴＴＩで伝送されるために３９ビットの穿孔が行われる。これにより、６０ビットのレートマッチングされたブロックが生成される。前記穿孔ビットの位置を示すレートマッチングパターンはシミュレーション過程で前記レートマッチングされたブロック内の各ビットの位置によるビットエラー率を変化を減らすことにより、ブロックエラー率の性能を改善させる。次のようなレートマッチングパターンを使用することができる。
【００６６】
レートマッチングパターン＝
{2, 3, 4, 5, 6, 9, 10, 12, 14, 17, 18, 21, 27, 32, 33, 36, 37, 41, 49, 51, 52, 55, 62, 71, 72, 73, 78, 80, 85, 86, 88, 89, 91, 93, 94, 95, 96, 97, 98} 又は 
{2, 3, 4, 5, 7, 9, 11, 13, 15, 17, 19, 21, 23, 25, 30, 31, 35, 42, 44, 46, 51, 53, 55, 60, 62, 64, 69, 71, 83, 85, 86, 89, 90, 91, 93, 95, 96, 97, 98} 又は 
{2, 3, 4, 5, 6, 7, 8, 12, 13, 15, 17, 19, 21, 24, 26, 31, 35, 42, 44, 46, 51, 53, 55, 60, 62, 64, 69, 71, 82, 85, 86, 89, 90, 91, 93, 95, 96, 97, 98} 又は 
{1, 2, 3, 4, 6, 7, 8, 12, 13, 15, 17, 19, 21, 24, 26, 31, 35, 42, 44, 46, 51, 53, 55, 60, 62, 64, 69, 71, 82, 85, 86, 89, 90, 91, 93, 95, 96, 97, 98}  又は
{1, 2, 3, 4, 5, 6, 7, 8, 10, 12, 14, 15, 17, 18, 19, 21, 24, 42, 47, 54, 56, 58, 66, 68, 71, 72, 73, 75, 84, 86, 87, 89, 90, 92, 93, 95, 96, 98, 99} 又は 
{1, 2, 3, 4, 5, 6, 7, 8, 10, 12, 14, 15, 17, 18, 20, 21, 24, 42, 48, 54, 57, 60, 66, 69, 71, 72, 74, 75, 84, 86, 87, 89, 90, 92, 93, 95, 96, 98, 99} 又は 
{1, 2, 3, 5, 6, 7, 8, 12, 13, 15, 17, 18, 19, 21, 24, 26, 34, 42, 44, 46, 51, 53, 55, 60, 62, 64, 69, 71, 83, 85, 86, 89, 90, 91, 93, 95, 96, 97, 98} 又は 
{1, 2, 3, 4, 5, 6, 7, 8, 12, 14, 15, 18, 21, 24, 30, 33, 39, 42, 48, 54, 57, 60, 63, 66, 69, 72, 75, 84, 87, 89, 90, 92, 93, 94, 95, 96, 97, 98, 99} 又は 
{1, 2, 3, 4, 5, 6, 7, 8, 10, 12, 14, 15, 17, 18, 21, 24, 27, 54, 57, 60, 63, 66, 69, 72, 75, 78, 81, 84, 86, 87, 89, 90, 92, 93, 95, 96, 97, 98, 99} 又は 
{1, 2, 3, 4, 5, 6, 7, 8, 10, 12, 14, 15, 17, 18, 20, 21, 24, 27, 30, 60, 66, 69, 72, 75, 78, 80, 81, 83, 84, 86, 87, 89, 90, 92, 93, 95, 96, 98, 99} 
【００６７】
前記レートマッチングパターンの各成分は番号１から番号９９までのチャンネル符号化されたビットのうち、穿孔されるビットの位置を示す。Ｅ−ＡＧＣＨのＴＴＩの長さが１０ｍｓであれば、前記２ｍｓ ＴＴＩのＥ−ＡＧＣＨの構造を五回繰り返して１０ｍｓ ＴＴＩのＥ−ＡＧＣＨを具現することができる。
【００６８】
図３を参照して本発明の実施形態４を具現するためのＥ−ＡＧＣＨの基地局送信装置を説明する。
図３を参照すれば、９ビットのＡＧ情報３０２はＵＥ-ＩＤ specific ＣＲＣ結合器３０４に印加され、前記ＵＥ-ＩＤ specific ＣＲＣ結合器３０４は前記ＡＧ情報から１６ビットのＣＲＣを生成する。前記ＵＥ-ＩＤ specific ＣＲＣ結合器３０４は前記１６ビットのＣＲＣと前記ＡＧ情報が適用される端末を識別するための１６ビットのＵＥ-ＩＤとをモジュロ-２演算してＵＥ-ＩＤ specific ＣＲＣを生成した後に、前記生成されたＵＥ-ＩＤ specific ＣＲＣを前記ＡＧ情報と結合して２５ビットの制御情報をチャンネル符号化器３０８に印加する。前記チャンネル符号化器３０８は拘束長９、符号率１/３の畳込み符号を用いることにより、前記２５ビットの制御情報に対して８ビットのテールビットを追加した後に、符号率１／３を適用して９９個の符号化されたビットで構成される符号化されたブロックを出力する。
【００６９】
レートマッチング部３１０は前記９９ビットサイズの符号化されたブロックに対して所定のレートマッチングパターンに応じて穿孔を行いレートマッチングされたブロックを生成し、物理チャンネルマッピング部３１２は前記レートマッチングされたブロックをＥ−ＡＧＣＨ３１４の２ｍｓ ＴＴＩの構造に合う物理チャンネルフレームにマッピングさせてＥ−ＡＧＣＨ３１４に伝送する。
【００７０】
この際、制御情報送信制御器３１６はＵＥ-ＩＤ specific ＣＲＣ結合器３０４、チャンネル符号化器３０８、レートマッチング部３１０及び物理チャンネルマッピング部３１２などによる、Ｅ−ＤＣＨのための制御情報の伝送を制御する。前記制御情報送信制御器３１６は前記複数のレートマッチングパターンのうち、少なくとも一つを貯蔵し、前記レートマッチング部３１０に前記レートマッチングパターンのうち、予め約束した一つを適用する。
【００７１】
図４を参照して本発明の実施形態４を具現するためのＥ−ＡＧＣＨの端末受信装置を説明する。
図４を参照すれば、端末はＥ−ＡＧＣＨ４０２を用いて信号を受信する。逆物理チャンネルマッピング部４０４は前記信号から２ｍｓのＴＴＩでレートマッチングされたブロックを抽出して逆レートマッチング部４０６に印加する。前記逆レートマッチング部４０６は基地局のレートマッチング部３１０で使用されたものと同じレートマッチングパターンを適用して前記レートマッチングされたブロックに対して前記レートマッチング部３１０で穿孔されたビットを復旧（逆穿孔）して符号化されたブロックを構成する。一方、前記Ｅ−ＡＧＣＨが２ｍｓのＴＴＩを五回繰り返した１０ｍｓのＴＴＩを使用すれば、前記逆物理チャンネルマッピング部４０４と逆レートマッチング部４０６は２ｍｓのＴＴＩに対する同じ動作を五回繰返して符号化されたサブブロックを構成した後に、前記符号化されたサブブロックを一つの符号化されたブロックに結合する。
【００７２】
チャンネル復号化器４０８は前記符号化されたブロックを復号してＵＥ-ＩＤ specific ＣＲＣ分離器４１０に印加する。前記復号されたブロックは９ビットのＡＧ情報と１６ビットのＵＥ-ＩＤ specific ＣＲＣに分離される。前記ＵＥ-ＩＤ specific ＣＲＣ分離器４１０は、前記１６ビットのＵＥ-ＩＤ specific ＣＲＣと前記端末の１６ビット ＵＥ-ＩＤ４１２をモジュロ-２演算して１６ビットのＣＲＣを抽出し、前記抽出したＣＲＣと前記ＡＧ情報をＣＲＣ検査器４１４に印加する。前記ＣＲＣ検査器４１４は前記１６ビットのＣＲＣを検査して前記ＡＧ情報のエラー有無を調べる。前記ＣＲＣの検査に成功すれば、前記ＣＲＣ検査器４１４は前記ＡＧ情報をエラーのないＡＧ情報４１６として出力し、前記ＡＧ情報４１６はＥ−ＤＣＨによるパケットデータの最大許容データレートの決定に用いられる。一方、前記ＣＲＣの検査に失敗すれば、前記ＡＧ情報は廃棄される。
この際、制御情報受信制御器４１８は逆物理チャンネルマッピング部４０４、逆レートマッチング部４０６、チャンネル復号化器４０８、ＵＥ-ＩＤ specific ＣＲＣ分離器４１０及びＣＲＣ検査器４１４などによる、Ｅ−ＤＣＨに対する制御情報の受信動作を制御する。
【００７３】
＜実施形態５＞
本発明の実施形態５はＡＧ情報が１０ビットで構成される場合に対するレートマッチングパターンを示す。例えば、前記ＡＧ情報は端末が使用可能な最大上りリンク無線資源の量を示す端末の８ビットの最大許容データレート又は、それに相当する８ビットのパワーオフセット、前記ＡＧ情報の有効時間を指示する１ビットのＡＧ有効時間指示子及び前記ＡＧ情報がＨＡＲＱの一つのプロセスのみで又はＨＡＲＱの全てのプロセスで有効であるかどうかを示す１ビットのＡＧ有効プロセス指示子で構成されるか、または前記端末の９ビットの最大許容データレート又は、それに相当するパワーオフセットとＡＧ情報の有効時間を指示する１ビットのＡＧ有効時間指示子で構成される。
【００７４】
その他の場合、前記ＡＧ情報は前記端末の９ビットの最大許容データレート又は、それに相当するパワーオフセットと１ビットのＡＧ情報有効プロセス指示子で構成されるか、または前記端末の最大許容データレート又は、それに相当するパワーオフセット、前記ＡＧ有効時間指示子、前記ＡＧ有効プロセス指示子及び他のＥ−ＡＧＣＨの制御のためのビットを含み全部で１０ビットの制御情報で構成される。
【００７５】
一方、前記Ｅ−ＡＧＣＨは前記ＡＧ情報とともに、共通チャンネル上で各端末を識別するＵＥ-ＩＤ及びＡＧ情報のエラー検出のためのＣＲＣを運ぶ。前記ＵＥ-ＩＤ及びＣＲＣは、それぞれ１６ビットを備え、各ビットに応じてモジュロ-２演算が行われてＵＥ-ＩＤでマスキングされた１６ビットＣＲＣの形態で伝送される。このように生成された１６ビットのＣＲＣをＵＥ-ＩＤ specific ＣＲＣという。前記端末は前記ＵＥ-ＩＤ specific ＣＲＣを用いて受信したＡＧ情報が自分に割当てられたかを調べる。
【００７６】
前記１０ビットのＡＧ情報と前記１６ビットのＵＥ-ＩＤ specific ＣＲＣを連接させた合計２６ビットの制御情報に８ビットのテールビットを加えた後に、符号率１/３、拘束長９の畳込み符号で符号化すれば、１０２ビットの符号化されたビット列からなる一つのチャンネル符号化されたブロックが生成される。前記１０２ビットのチャンネル符号化されたブロックは、拡散指数２５６及びＱＰＳＫ変調方式を使用する２ｍｓのＥ−ＡＧＣＨ ＴＴＩで伝送されるために４２ビットの穿孔が行われる。これにより、６０ビットのレートマッチングされたブロックが生成される。前記穿孔ビットの位置を示すレートマッチングパターンはシミュレーション過程で前記レートマッチングされたブロック内の各ビットの位置によるビットエラー率の変化を減らすことにより、ブロックエラー率の性能を改善させる。次のようなレートマッチングパターンが使用可能である。
【００７７】
レートマッチングパターン＝ 
{1, 2, 3, 4, 5, 6, 10, 13, 14, 16, 19, 26, 28, 30, 31, 36, 38, 39, 41, 42, 45, 50, 52, 57, 68, 69, 71, 77, 79, 81, 82, 83, 85, 86, 88, 91, 95, 96, 97, 98, 100, 101} 又は
{1, 3, 5, 6, 7, 9, 10, 12, 13, 15, 16, 17, 20, 21, 30, 32, 34, 42, 43, 44, 50, 52, 54, 55, 57, 61, 75, 78, 79, 82, 84, 87, 88, 90, 92, 93, 94, 97, 98, 99, 101, 102} 又は
{1, 2, 3, 5, 6, 7, 8, 12, 13, 15, 17, 18, 19, 21, 23, 25, 33, 35, 37, 42, 44, 52, 57, 59, 61, 66, 68, 70, 75, 77, 84, 86, 88, 89, 92, 93, 94, 96, 98, 99, 100, 101}  又は 
{1, 2, 3, 4, 5, 6, 7, 8, 12, 14, 15, 17, 18, 19, 21, 23, 25, 33, 36, 38, 40, 54, 56, 58, 63, 65, 67, 72, 74, 76, 84, 86, 88, 89, 92, 93, 94, 96, 98, 99, 100, 101}   又は 
{1, 2, 3, 4, 5, 6, 7, 8, 10, 12, 14, 15, 17, 18, 20, 21, 24, 27, 36, 39, 42, 54, 57, 60, 63, 66, 69, 72, 75, 78, 84, 87, 89, 90, 92, 93, 95, 96, 98, 99, 101, 102} 又は 
{1, 2, 3, 4, 5, 6, 7, 8, 10, 12, 14, 15, 17, 18, 19, 21, 23, 25, 36, 38, 40, 54, 56, 58, 63, 65, 67, 72, 74, 76, 84, 87, 89, 90, 92, 93, 95, 96, 98, 99, 101, 102} 又は 
{1, 2, 3, 4, 5, 6, 7, 8, 12, 14, 15, 17, 18, 19, 21, 23, 25, 33, 36, 38, 40, 45, 47, 54, 56, 58, 63, 65, 67, 72, 84, 86, 88, 89, 92, 93, 94, 96, 98, 99, 100, 101} 又は 
{1, 2, 3, 4, 5, 6, 7, 8, 10, 12, 14, 15, 18, 21, 24, 33, 36, 39, 42, 48, 54, 57, 60, 66, 69, 72, 75, 78, 84, 87, 89, 90, 92, 93, 95, 96, 97, 98, 99, 100, 101, 102} 又は 
{1, 2, 3, 4, 5, 6, 7, 8, 10, 12, 14, 15, 17, 18, 21, 24, 27, 36, 39, 42, 54, 57, 60, 66, 69, 72, 75, 78, 84, 87, 89, 90, 92, 93, 95, 96, 97, 98, 99, 100, 101, 102} 又は 
{1, 2, 3, 4, 5, 6, 7, 8, 10, 12, 14, 15, 18, 21, 24, 33, 36, 39, 42, 48, 54, 57, 60, 66, 69, 72, 75, 87, 89, 90, 91, 92, 93, 94, 95, 96, 97, 98, 99, 100, 101, 102} 
【００７８】
前記レートマッチングパターンの各成分は番号１から番号１０２までのチャンネル符号化されたビットのうち、穿孔されるビットの位置を示す。仮に、Ｅ−ＡＧＣＨのＴＴＩの長さが１０ｍｓであれば、前記２ｍｓ ＴＴＩのＥ−ＡＧＣＨの構造を五回繰り返して１０ｍｓＴＴＩのＥ−ＡＧＣＨを具現することができる。
【００７９】
図３を参照して本発明の実施形態５を具現するためのＥ−ＡＧＣＨの基地局送信装置を説明する。
図３を参照すれば、１０ビットのＡＧ情報３０２はＵＥ-ＩＤ specific ＣＲＣ結合器３０４に印加され、前記ＵＥ-ＩＤ specific ＣＲＣ結合器３０４は前記ＡＧ情報から１６ビットのＣＲＣを生成する。前記ＵＥ-ＩＤ specific ＣＲＣ結合器３０４は前記１６ビットのＣＲＣと前記ＡＧ情報が適用される端末を識別するための１６ビットのＵＥ-ＩＤとをモジュロ-２演算してＵＥ-ＩＤ specific ＣＲＣを生成した後に、前記生成されたＵＥ-ＩＤ specific ＣＲＣを前記ＡＧ情報と結合して２６ビットの制御情報をチャンネル符号化器３０８に印加する。前記チャンネル符号化器３０８は拘束長９、符号率１/３の畳込み符号を用いることにより、前記２６ビットの制御情報に対して８ビットのテールビットを追加した後に、符号率１/３を適用して１０２個の符号化されたビットで構成される符号化されたブロックを出力する。
【００８０】
レートマッチング部３１０は前記１０２ビットサイズの符号化されたブロックに対して所定のレートマッチングパターンに応じて穿孔を行いレートマッチングされたブロックを生成し、物理チャンネルマッピング部３１２は前記レートマッチングされたブロックをＥ−ＡＧＣＨ３１４の２ｍｓ ＴＴＩの構造に合う物理チャンネルフレームにマッピングさせてＥ−ＡＧＣＨ３１４に伝送する。この際、制御情報送信制御器３１６はＵＥ-ＩＤ specific ＣＲＣ結合器３０４、チャンネル符号化器３０８、レートマッチング部３１０及び物理チャンネルマッピング部３１２などによる、Ｅ−ＤＣＨのための制御情報の伝送を制御する。前記制御情報送信制御器３１６は前記複数のレートマッチングパターンのうち、少なくとも一つを貯蔵し、前記レートマッチング部３１０に前記レートマッチングパターンのうち、予め約束した一つを適用する。
【００８１】
図４を参照して本発明の実施形態５を具現するためのＥ−ＡＧＣＨの端末受信装置を説明する。
図４を参照すれば、端末はＥ−ＡＧＣＨ４０２を用いて信号を受信する。逆物理チャンネルマッピング部４０４は前記信号から２ｍｓのＴＴＩでレートマッチングされたブロックを抽出して逆レートマッチング部４０６に印加する。前記逆レートマッチング部４０６は基地局のレートマッチング部３１０で使用されたものと同じレートマッチングパターンを適用して前記レートマッチングされたブロックに対して前記レートマッチング部３１０で穿孔されたビットを復旧（逆穿孔）して符号化されたブロックを構成する。一方、前記Ｅ−ＡＧＣＨが２ｍｓのＴＴＩを五回繰り返した１０ｍｓのＴＴＩを使用すれば、前記逆物理チャンネルマッピング部４０４と逆レートマッチング部４０６は２ｍｓのＴＴＩに対する同じ動作を五回繰り返して符号化されたサブブロックを構成した後に、前記符号化されたサブブロックを一つの符号化されたブロックに結合する。
【００８２】
チャンネル復号化器４０８は前記符号化されたブロックを復号してＵＥ-ＩＤ specific ＣＲＣ分離器４１０に印加する。前記復号されたブロックは１０ビットのＡＧ情報と１６ビットのＵＥ-ＩＤ specific ＣＲＣに分離される。前記ＵＥ-ＩＤ specific ＣＲＣ分離器４１０は、前記１６ビットのＵＥ-ＩＤ specific ＣＲＣと前記端末の１６ビットＵＥ-ＩＤ４１２をモジュロ-２演算して１６ビットのＣＲＣを抽出し、前記抽出したＣＲＣと前記ＡＧ情報をＣＲＣ検査器４１４に印加する。前記ＣＲＣ検査器４１４は前記１６ビットのＣＲＣを検査して前記ＡＧ情報のエラー有無を調べる。前記ＣＲＣの検査に成功すれば、前記ＣＲＣ検査器４１４は前記ＡＧ情報をエラーのないＡＧ情報４１６として出力し、前記ＡＧ情報４１６はＥ−ＤＣＨによるパケットデータの最大許容データレートの決定に用いられる。一方、前記ＣＲＣの検査に失敗すれば、前記ＡＧ情報は廃棄される。
この際、制御情報受信制御器４１８は逆物理チャンネルマッピング部４０４、逆レートマッチング部４０６、チャンネル復号化器４０８、ＵＥ-ＩＤ specific ＣＲＣ分離器４１０及びＣＲＣ検査器４１４などによる、Ｅ−ＤＣＨに対する制御情報の受信動作を制御する。
【００８３】
＜実施形態６＞
本発明の実施形態６はＡＧ情報が５ビットで構成される場合に対するレートマッチングパターンを示す。例えば、前記ＡＧ情報は端末が使用可能な最大上りリンク無線資源の量を示す端末の４ビットの最大許容データレート又は、それに相当する４ビットのパワーオフセット及び前記ＡＧ情報の有効時間を指示する１ビットのＡＧ有効時間指示子で構成されるか、または端末の４ビットの最大許容データレート又は、それに相当するパワーオフセット、前記ＡＧ情報がＨＡＲＱの一つのプロセスのみで又はＨＡＲＱの全てのプロセスで有効であるかどうかを示す１ビットのＡＧ有効プロセス指示子で構成される。
【００８４】
一方、前記Ｅ−ＡＧＣＨは前記ＡＧ情報とともに、共通チャンネル上で各端末を識別するＵＥ-ＩＤ及びＡＧ情報のエラー検出のためのＣＲＣを運ぶ。前記ＵＥ-ＩＤ及びＣＲＣは、それぞれ１６ビットを備え、各ビットに応じてモジュロ-２演算が行われてＵＥ-ＩＤでマスキングされた１６ビットのＣＲＣの形態で伝送される。このように生成された１６ビットのＣＲＣをＵＥ-ＩＤ specific ＣＲＣという。前記端末は前記ＵＥ-ＩＤspecific ＣＲＣを用いて受信したＡＧ情報が自分に割当てられたかを調べる。
【００８５】
前記５ビットのＡＧ情報と前記１６ビットのＵＥ-ＩＤ specific ＣＲＣを連接させた合計２１ビットの制御情報に８ビットのテールビットを加えた後に、符号率１/３、拘束長９の畳込み符号で符号化すれば、８７ビットの符号化されたビット列からなる一つのチャンネル符号化されたブロックが生成される。前記８７ビットのチャンネル符号化されたブロックは、拡散指数２５６及びＱＰＳＫ変調方式を使用する２ｍｓのＥ−ＡＧＣＨ ＴＴＩで伝送されるために２７ビットの穿孔が行われる。これにより、６０ビットのレートマッチングされたブロックが生成される。前記穿孔ビットの位置を示すレートマッチングパターンはシミュレーション過程で前記レートマッチングされたブロック内の各ビットの位置によるビットエラー率の変化を減らすことにより、ブロックエラー率の性能を改善させる。Ｅ−ＡＧＣＨで２ｍｓのＴＴＩが用いられる場合、次のようなレートマッチングパターンが使用可能である。
【００８６】
レートマッチングパターン＝
{1, 2, 3, 6, 7, 10, 12, 14, 17, 19, 20, 21, 39, 45, 48, 59, 65, 67, 74, 75, 76, 80, 81, 83, 85, 86, 87}
【００８７】
前記レートマッチングパターンの各成分は番号１から番号８７までのチャンネル符号化されたビットのうち、穿孔されるビットの位置を示す。仮に、Ｅ−ＡＧＣＨのＴＴＩの長さが１０ｍｓであれば、前記２ｍｓ ＴＴＩのＥ−ＡＧＣＨの構造を五回繰り返して１０ｍｓ ＴＴＩのＥ−ＡＧＣＨを具現することができる。
【００８８】
図３を参照して本発明の実施形態６を具現するためのＥ−ＡＧＣＨの基地局送信装置を説明する。  図３を参照すれば、５ビットのＡＧ情報３０２はＵＥ-ＩＤ specific ＣＲＣ 結合器３０４に印加され、前記ＵＥ-ＩＤ specific ＣＲＣ結合器３０４は前記ＡＧ情報から１６ビットのＣＲＣを生成する。前記ＵＥ-ＩＤ specific ＣＲＣ結合器３０４は前記１６ビットのＣＲＣと前記ＡＧ情報が適用される端末を識別するための１６ビットのＵＥ-ＩＤとをモジュロ-２演算してＵＥ-ＩＤspecific ＣＲＣを生成した後に、前記生成されたＵＥ-ＩＤ specific ＣＲＣを前記ＡＧ情報と結合して２１ビットの制御情報をチャンネル符号化器３０８に印加する。前記チャンネル符号化器３０８は拘束長９、符号率１/３の畳込み符号を用いることにより、前記２１ビットの制御情報に対して８ビットのテールビットを追加した後に、符号率１／３を適用して８７個の符号化されたビットで構成される符号化されたブロックを出力する。
【００８９】
レートマッチング部３１０は前記８７ビットサイズの符号化されたブロックに対して所定のレートマッチングパターンに応じて穿孔を行い、物理チャンネルマッピング部３１２は前記レートマッチングされたブロックをＥ−ＡＧＣＨ３１４の２ｍｓ ＴＴＩの構造に合う物理チャンネルフレームにマッピングさせてＥ−ＡＧＣＨ３１４に伝送する。この際、制御情報送信制御器３１６はＵＥ-ＩＤ specific ＣＲＣ結合器３０４、チャンネル符号化器３０８、レートマッチング部３１０及び物理チャンネルマッピング部３１２などによる、Ｅ−ＤＣＨのための制御情報の伝送を制御する。前記制御情報送信制御器３１６は上述したレートマッチングパターンを貯蔵し、前記レートマッチング部３１０に前記レートマッチングパターンを適用する。
【００９０】
図４を参照して本発明の実施形態６を具現するためのＥ−ＡＧＣＨの端末受信装置を説明する。
図４を参照すれば、端末はＥ−ＡＧＣＨ４０２を用いて信号を受信する。逆物理チャンネルマッピング部４０４は前記信号から２ｍｓのＴＴＩでレートマッチングされたブロックを抽出して逆レートマッチング部４０６に印加する。前記逆レートマッチング部４０６は基地局のレートマッチング部３１０で使用されたものと同じ前記レートマッチングパターンを適用して前記レートマッチングされたブロックに対して前記レートマッチング部３１０で穿孔されたビットを復旧（逆穿孔）して符号化されたブロックを構成する。一方、前記Ｅ−ＡＧＣＨが２ｍｓのＴＴＩを五回繰り返した１０ｍｓのＴＴＩを使用すれば、前記逆物理チャンネルマッピング部４０４と逆レートマッチング部４０６は２ｍｓのＴＴＩに対する同じ動作を五回繰り返して符号化されたサブブロックを構成した後に、前記符号化されたサブブロックを一つの符号化されたブロックに結合する。
【００９１】
チャンネル復号化器４０８は前記符号化されたブロックを復号してＵＥ-ＩＤ specific ＣＲＣ分離器４１０に印加する。前記復号されたブロックは５ビットのＡＧ情報と１６ビットのＵＥ-ＩＤ specific ＣＲＣに分離される。前記ＵＥ-ＩＤ specific ＣＲＣ分離器４１０は、前記１６ビットのＵＥ-ＩＤ specific ＣＲＣと前記端末の１６ビットのＵＥ-ＩＤ４１２をモジュロ-２演算して１６ビットのＣＲＣを抽出し、前記抽出したＣＲＣと前記ＡＧ情報をＣＲＣ検査器４１４に印加する。前記ＣＲＣ検査器４１４は前記１６ビットのＣＲＣを検査して前記ＡＧ情報のエラー有無を調べる。前記ＣＲＣの検査に成功すれば、前記ＣＲＣ検査器４１４は前記ＡＧ情報をエラーのないＡＧ情報４１６として出力し、前記ＡＧ情報４１６はＥ−ＤＣＨによるパケットデータの最大許容データレートの決定に用いられる。一方、前記ＣＲＣの検査に失敗すれば、前記ＡＧ情報は廃棄される。
【００９２】
この際、制御情報受信制御器４１８は逆物理チャンネルマッピング部４０４、逆レートマッチング部４０６、チャンネル復号化器４０８、ＵＥ-ＩＤ specific ＣＲＣ分離器４１０及びＣＲＣ検査器４１４などによる、Ｅ−ＤＣＨに対する制御情報の受信動作を制御する。
【００９３】
前記実施形態１乃至実施形態６はＥ−ＡＧＣＨのチャンネル符号化方法として３ＧＰＰ標準規格に定義されている拘束長９、符号率１/３の畳込み符号を考慮している。以下、次の実施形態７乃至実施形態１１はその他のチャンネル符号化方法として３ＧＰＰ標準規格に定義されている拘束長９、符号率１/２の畳込み符号を考慮する場合のＥ−ＡＧＣＨのレートマッチング動作を説明する。
【００９４】
前記Ｅ−ＡＧＣＨで伝送される２１〜２６ビットの制御情報は、前記畳込み符号化によって８ビットのテールビットが加えられた後に、１/２の符号率を適用して５８〜６８個の符号化ビット((２１＋８)*２＝５８、(２６＋８)*２＝６８)に符号化される。
【００９５】
図２Ｂは、３ＧＰＰ標準規格に定義されている拘束長９、符号率１/２の畳込み符号(Convolutional code)の符号化器を示す。
図２Ｂを参照すれば、前記符号化器２２０は８つの直列連結されたシフトレジスタ２２２，２２４，２２６，２２８，２３０，２３２,２３４,２３６と、入力情報ビット又は前記シフトレジスタ(２２２〜２３６)の出力ビットを入力とする複数の加算器２２２b,２２４a,２２４b,２２６a,２２６b,２２８a,２３０b,２３４b,２３６a,２３６bとを備え、０の値を有する８つのテールビットを含む入力情報は一番目のビットからシフトレジスタ(２２２〜２３６)を順次で通過してoutput０, output１, output０, output１, output０, output１,…の順序で符号化ビットを生成する。
【００９６】
チャンネル符号化された制御情報はＥ−ＡＧＣＨの２ｍｓ ＴＴＩで伝送される。Ｅ−ＡＧＣＨに拡散指数２５６とＱＰＳＫの変調方式を適用するとき、前記２ｍｓのＴＴＩで伝送可能なビットの数は全部で６０ビットとなる。従って、前記Ｅ−ＡＧＣＨで伝送される符号化された制御情報のうち、最小２ビット(＝５８−６０)は繰り返されるか、最大８ビット(＝６８−６０)は穿孔される。但し、ＡＧ情報が６ビットである場合には、前記６ビットのＡＧ情報、１６ビットのＵＥ−ＩＤ specific ＣＲＣ及び８ビットのテールビットを含む制御情報を拘束長９、符号率１/２の畳込み符号で符号化すれば、６０ビットのチャンネル符号化されたビットが生成されて前記２ｍｓのＴＴＩで伝送可能なビットの数と同じくなるため、別途のレートマッチング動作が不必要になる。
【００９７】
次の本発明の好ましい実施形態は前記Ｅ−ＡＧＣＨで伝送される制御情報のブロックエラー率の性能を改善させるレートマッチングパターンを示す。次の実施形態７はＡＧ情報が５ビットで構成される場合、実施形態８はＡＧ情報が７ビットで構成される場合、実施形態９はＡＧ情報が８ビットで構成される場合、実施形態１０はＡＧ情報が９ビットで構成される場合、実施形態１１はＡＧ情報が１０ビットで構成される場合に対する各々のレートマッチングパターンを示し、送受信動作を説明する。
【００９８】
＜実施形態７＞
本発明の実施形態７はＡＧ情報が５ビットからなる場合に対するレートマッチングパターンを示す。例えば、前記ＡＧ情報は端末が使用可能な最大上りリンク無線資源の量を示す端末の４ビットの最大許容データレート又は、それに相当する４ビットのパワーオフセット及び前記ＡＧ情報の有効時間を指示する１ビットのＡＧ有効時間指示子で構成されるか、または前記端末の４ビットの最大許容データレート又は、それに相当するパワーオフセットと前記ＡＧ情報がＨＡＲＱの一つのプロセスのみで又はＨＡＲＱの全てのプロセスで有効であるかどうかを示す１ビットのＡＧ有効プロセス指示子で構成される。
【００９９】
一方、前記Ｅ−ＡＧＣＨは前記ＡＧ情報とともに、共通チャンネル上で各端末を識別するＵＥ-ＩＤ及びＡＧ情報のエラー検出のためのＣＲＣを運ぶ。前記ＵＥ-ＩＤ及びＣＲＣは、それぞれ１６ビットを備え、各ビットに応じてモジュロ-２演算が行われてＵＥ-ＩＤでマスキングされた１６ビットのＣＲＣの形態で 伝送される。このように生成された１６ビットのＣＲＣをＵＥ-ＩＤ specific ＣＲＣという。前記端末は前記ＵＥ-ＩＤ specific ＣＲＣを用いて受信したＡＧ制御情報が自分に割当てられたかを調べる。
【０１００】
前記５ビットのＡＧ情報と前記１６ビットのＵＥ-ＩＤ specific ＣＲＣを連接させた合計２１ビットの制御情報に８ビットのテールビットを加えた後に、符号率１/２、拘束長９の畳込み符号で符号化すれば、５８ビットの符号化されたビット列からなる一つのチャンネル符号化されたブロックが生成される。前記５８ビットのチャンネル符号化されたブロックは、拡散指数２５６及びＱＰＳＫ変調方式を使用する２ｍｓのＥ−ＡＧＣＨ ＴＴＩで伝送されるために２ビットの繰返しが行われる。これにより、６０ビットのレートマッチングされたブロックが生成される。前記繰返しビットの位置を示すレートマッチングパターンはシミュレーション過程で前記レートマッチングされたブロック内の各ビットの位置によるビットエラー率の変化を減らすことにより、ブロックエラー率の性能を改善させる。次のようなレートマッチングパターンを使用することができる。
【０１０１】
レートマッチングパターン＝{23, 57}
【０１０２】
前記レートマッチングパターンの各成分は番号１から番号５８までのチャンネル符号化されたビットのうち、繰り返しビットの位置を示す。仮に、Ｅ−ＡＧＣＨのＴＴＩの長さが１０ｍｓであれば、前記２ｍｓ ＴＴＩのＥ−ＡＧＣＨの構造を五回繰り返して１０ｍｓ ＴＴＩのＥ−ＡＧＣＨを具現する。
【０１０３】
図３を参照して本発明の実施形態７を具現するためのＥ−ＡＧＣＨの基地局送信装置を説明する。
図３を参照すれば、５ビットのＡＧ情報３０２はＵＥ-ＩＤ specific ＣＲＣ結合器３０４に印加され、前記ＵＥ-ＩＤ specific ＣＲＣ結合器３０４は前記ＡＧ情報から１６ビットのＣＲＣを生成する。前記ＵＥ-ＩＤ specific ＣＲＣ結合器３０４は前記１６ビットのＣＲＣと前記ＡＧ情報が適用される端末を識別するための１６ビットのＵＥ-ＩＤとをモジュロ-２演算してＵＥ-ＩＤ specific ＣＲＣを生成した後に、前記生成されたＵＥ-ＩＤ specific ＣＲＣを前記ＡＧ情報と結合して２１ビットの制御情報をチャンネル符号化器３０８に印加する。前記チャンネル符号化器３０８は拘束長９、符号率１/２の畳込み符号を用いることにより、前記２１ビットの制御情報に対して８ビットのテールビットを追加した後に、１/２の符号率を適用して５８個の符号化されたビットからなる符号化されたブロックを出力する。
【０１０４】
レートマッチング部３１０は前記５８ビットサイズの符号化されたブロックに対して所定のレートマッチングパターンに応じて繰返しを行いレートマッチングされたブロックを生成し、物理チャンネルマッピング部３１２は前記レートマッチングされたブロックをＥ−ＡＧＣＨ３１４の２ｍｓ ＴＴＩの構造に合う物理チャンネルフレームにマッピングさせてＥ−ＡＧＣＨ３１４に伝送する。この際、制御情報送信制御器３１６はＵＥ-ＩＤ specific ＣＲＣ結合器３０４、チャンネル符号化器３０８、レートマッチング部３１０及び物理チャンネルマッピング部３１２などによる、Ｅ−ＤＣＨのための制御情報の伝送を制御する。前記制御情報送信制御器３１６は上述したレートマッチングパターンを貯蔵し、前記レートマッチングパターンを前記レートマッチング部３１０に適用する。
【０１０５】
図４を参照して本発明の実施形態７を具現するためのＥ−ＡＧＣＨの端末受信装置を説明する。
図４を参照すれば、端末はＥ−ＡＧＣＨ４０２を用いて信号を受信する。逆物理チャンネルマッピング部４０４は前記信号から２ｍｓのＴＴＩでレートマッチングされたブロックを抽出して逆レートマッチング部４０６に印加する。前記逆レートマッチング部４０６は基地局のレートマッチング部３１０で使用されたものと同じレートマッチングパターンを適用して前記レートマッチングされたブロックに対して前記レートマッチング部３１０での繰返しビットを復旧（すなわち、結合）する。一方、前記Ｅ−ＡＧＣＨが２ｍｓのＴＴＩを五回繰返した１０ｍｓのＴＴＩを使用すれば、前記逆物理チャンネルマッピング部４０４と逆レートマッチング部４０６は２ｍｓのＴＴＩに対する同じ動作を五回繰り返して符号化されたサブブロックを構成した後に、前記符号化されたサブブロックを一つの符号化されたブロックに結合する。
【０１０６】
チャンネル復号化器４０８は前記符号化されたブロックを復号してＵＥ-ＩＤspecific ＣＲＣ分離器４１０に印加する。前記復号されたブロックは５ビットのＡＧ情報と１６ビットのＵＥ-ＩＤ specific ＣＲＣに分離される。前記ＵＥ-ＩＤ specific ＣＲＣ分離器４１０は、前記１６ビットのＵＥ-ＩＤ specific ＣＲＣと前記端末の１６ビットのＵＥ-ＩＤ４１２をモジュロ-２演算して１６ビットのＣＲＣを抽出し、前記抽出したＣＲＣと前記ＡＧ情報をＣＲＣ検査器４１４に印加する。前記ＣＲＣ検査器４１４は前記１６ビットのＣＲＣを検査して前記ＡＧ情報のエラー有無を調べる。前記ＣＲＣの検査に成功すれば、前記ＣＲＣ検査器４１４は前記ＡＧ情報をエラーのないＡＧ情報４１６として出力し、前記ＡＧ情報４１６はＥ−ＤＣＨによるパケットデータの最大許容データレートの決定に用いられる。一方、前記ＣＲＣの検査に失敗すれば、前記ＡＧ情報は廃棄される。
【０１０７】
この際、制御情報受信制御器４１８は逆物理チャンネルマッピング部４０４、逆レートマッチング部４０６、チャンネル 復号化器４０８、ＵＥ-ＩＤ specific ＣＲＣ分離器４１０及びＣＲＣ検査器４１４などによる、Ｅ−ＤＣＨのための制御情報の受信動作を制御する。
【０１０８】
＜実施形態８＞
本発明の実施形態８はＡＧ情報が７ビットからなる場合に対するレートマッチングパターンを示す。例えば、前記ＡＧ情報は端末が使用可能な最大上りリンク無線資源の量を示す端末の５ビットの最大許容データレート又は、それに相当する５ビットのパワーオフセット、前記ＡＧ情報の有効時間を指示する１ビットのＡＧ有効時間指示子及び前記ＡＧ情報がＨＡＲＱの一つのプロセスのみで又はＨＡＲＱの全てのプロセスで有効であるかどうかを示す１ビットのＡＧ有効プロセス指示子で構成されるか、または前記端末の６ビットの最大許容データレート又は、それに相当するパワーオフセットと前記ＡＧ情報の有効時間を指示する１ビットのＡＧ有効時間指示子で構成される。
【０１０９】
その他の場合、前記ＡＧ情報は前記端末の６ビットの最大許容データレート又は、それに相当するパワーオフセットと１ビットのＡＧ有効プロセス指示子で構成されるか、または前記ＡＧ情報は前記最大許容データレート又は、それに相当するパワーオフセット、前記ＡＧ有効時間指示子、前記ＡＧ有効プロセス指示子及び他のＥ−ＡＧＣＨの制御のためのビットを含み全部で７ビットで構成される。
【０１１０】
一方、前記Ｅ−ＡＧＣＨは前記ＡＧ情報とともに、共通チャンネル上で各端末を識別するＵＥ-ＩＤ及びＡＧ情報のエラー検出のためのＣＲＣを運ぶ。前記ＵＥ-ＩＤ及びＣＲＣは、それぞれ１６ビットを備え、各ビットに応じてモジュロ-２演算が行われてＵＥ-ＩＤでマスキングされた１６ビットのＣＲＣの形態で 伝送される。このように生成された１６ビットの情報をＵＥ-ＩＤ specific ＣＲＣという。前記端末は前記ＵＥ-ＩＤ specific ＣＲＣを用いて受信したＡＧ情報が自分に割当てられたかを調べる。
【０１１１】
前記７ビットのＡＧ情報と前記１６ビットのＵＥ-ＩＤ specific ＣＲＣを連接させた合計２３ビットの制御情報に８ビットのテールビットを加えた後に、符号率１/２、拘束長９の畳込み符号で符号化すれば、６２ビットの符号化されたビット列からなる一つのチャンネル符号化されたブロックが生成される。前記６２ビットのチャンネル符号化されたブロックは、拡散指数２５６及びＱＰＳＫ変調方式を使用する２ｍｓのＥ−ＡＧＣＨ ＴＴＩで伝送されるために２ビットの穿孔が行われる。これにより、６０ビットのレートマッチングされたブロックが生成される。前記穿孔ビットの位置を示すレートマッチングパターンはシミュレーション過程で前記レートマッチングされたブロック内の各ビットの位置によるビットエラー率の変化を減らすことにより、ブロックエラー率の性能を改善させる。次のようなレートマッチングパターンを使用することができる。
【０１１２】
レートマッチング パターン＝{2, 62} 
前記レートマッチングパターンの各成分は番号１から番号６２までのチャンネル符号化されたビットのうち、穿孔ビットの位置を示す。仮に、前記Ｅ−ＡＧＣＨのＴＴＩの長さが１０ｍｓであれば、前記２ｍｓ ＴＴＩのＥ−ＡＧＣＨの構造を五回繰り返して１０ｍｓ ＴＴＩのＥ−ＡＧＣＨを具現する。
【０１１３】
図３を参照して本発明の実施形態８を具現するためのＥ−ＡＧＣＨの基地局送信装置を説明する。
図３を参照すれば、７ビットのＡＧ情報３０２はＵＥ-ＩＤ specific ＣＲＣ結合器３０４に印加され、前記ＵＥ-ＩＤ specific ＣＲＣ結合器３０４は前記ＡＧ情報から１６ビットのＣＲＣを生成する。前記ＵＥ-ＩＤ specific ＣＲＣ結合器３０４は前記１６ビットのＣＲＣと前記ＡＧ情報が適用される端末を識別するための１６ビットのＵＥ-ＩＤとをモジュロ-２演算してＵＥ-ＩＤ specific ＣＲＣを生成した後に、前記生成されたＵＥ-ＩＤ specific ＣＲＣを前記ＡＧ情報と結合して２３ビットの制御情報をチャンネル符号化器３０８に印加する。前記チャンネル符号化器３０８は拘束長９、符号率１/２の畳込み符号を用いることにより、前記２３ビットの制御情報に対して８ビットのテールビットを追加した後に、１/２の符号率を適用して６２個の符号化されたビットからなる符号化されたブロックを出力する。
【０１１４】
レートマッチング部３１０は前記６２ビットサイズの符号化されたブロックに対して所定のレートマッチングパターンに応じて穿孔を行いレートマッチングされたブロックを構成し、物理チャンネルマッピング部３１２は前記レートマッチングされたブロックをＥ−ＡＧＣＨ３１４の２ｍｓ ＴＴＩの構造に合う物理チャンネルフレームにマッピングさせてＥ−ＡＧＣＨ３１４に伝送する。この際、制御情報送信制御器３１６はＵＥ-ＩＤ specific ＣＲＣ結合器３０４、チャンネル符号化器３０８、レートマッチング部３１０及び物理チャンネルマッピング部３１２などによる、Ｅ−ＤＣＨのための制御情報の伝送を制御する。前記制御情報送信制御器３１６は上述した複数のレートマッチングパターンを貯蔵し、前記レートマッチングパターンを前記レートマッチング部３１０に適用する。
【０１１５】
図４を参照して本発明の実施形態８を具現するためのＥ−ＡＧＣＨの端末受信装置を説明する。
図４を参照すれば、端末はＥ−ＡＧＣＨ４０２を用いて信号を受信し、逆物理チャンネルマッピング部４０４は前記信号から２ｍｓのＴＴＩでレートマッチングされたブロックを抽出して逆レートマッチング部４０６に印加する。前記逆レートマッチング部４０６は基地局のレートマッチング部３１０で使用されたものと同じレートマッチングパターンを適用して前記レートマッチングされたブロックに対して前記レートマッチング部３１０で穿孔されたビットを復旧（逆穿孔）して符号化されたブロックを構成する。一方、前記Ｅ−ＡＧＣＨが２ｍｓのＴＴＩを五回繰り返した１０ｍｓのＴＴＩを使用すれば、前記逆物理チャンネルマッピング部４０４と逆レートマッチング部４０６は２ｍｓのＴＴＩに対する同じ動作を五回繰り返して符号化されたサブブロックを構成した後に、前記符号化されたサブブロックを一つの符号化されたブロックに結合する。
【０１１６】
チャンネル復号化器４０８は前記符号化されたブロックを復号してＵＥ-ＩＤ specific ＣＲＣ分離器４１０に印加する。前記復号されたブロックは７ビットのＡＧ情報と１６ビットのＵＥ-ＩＤ specific ＣＲＣに分離される。前記ＵＥ-ＩＤ specific ＣＲＣ分離器４１０は前記１６ビットのＵＥ-ＩＤ specific ＣＲＣと前記端末の１６ビットのＵＥ-ＩＤ４１２をモジュロ-２演算して１６ビットのＣＲＣを抽出し、前記抽出したＣＲＣと前記ＡＧ情報をＣＲＣ検査器４１４に印加する。前記ＣＲＣ検査器４１４は前記１６ビットのＣＲＣを検査してエラー有無を調べる。前記ＣＲＣの検査に成功すれば、前記ＣＲＣ検査器４１４は前記ＡＧ情報をエラーのないＡＧ情報４１６として出力し、前記ＡＧ情報４１６はＥ−ＤＣＨによるパケットデータの最大許容データレートの決定に用いられる。一方、前記ＣＲＣの検査に失敗すれば、前記ＡＧ情報は廃棄される。
この際、制御情報受信制御器４１８は逆物理チャンネルマッピング部４０４、逆レートマッチング部４０６、チャンネル復号化器４０８、ＵＥ-ＩＤ specific ＣＲＣ分離器４１０及びＣＲＣ検査器４１４などによる、Ｅ−ＤＣＨのための制御情報の受信動作を制御する。
【０１１７】
＜実施形態９＞
本発明の実施形態９はＡＧ情報が８ビットからなる場合に対するレートマッチングパターンを示す。例えば、前記ＡＧ情報は端末が使用可能な最大上りリンク無線資源の量を示す端末の６ビットの最大許容データレート又は、それに相当する６ビットのパワーオフセット、前記ＡＧ情報の有効時間を指示する１ビットのＡＧ有効時間指示子及び前記ＡＧ情報がＨＡＲＱの一つのプロセスのみで又はＨＡＲＱの全てのプロセスで有効であるかどうかを示す１ビットのＡＧ有効プロセス指示子で構成されるか、または前記端末の７ビットの最大許容データレート又は、それに相当するパワーオフセットと前記ＡＧ情報の有効時間を指示する１ビットのＡＧ有効時間指示子で構成される。
【０１１８】
その他の場合、前記ＡＧ情報は前記端末の７ビットの最大許容データレート又は、それに相当するパワーオフセット及び１ビットのＡＧ有効プロセス指示子で構成されるか、または前記端末の最大許容データレート又は、それに相当するパワーオフセット、前記ＡＧ有効時間指示子、前記ＡＧ有効プロセス指示子及び他のＥ−ＡＧＣＨの制御のためのビットを含み全部で８ビットで構成されうる。
【０１１９】
一方、前記Ｅ−ＡＧＣＨは前記ＡＧ情報とともに、共通チャンネル上で各端末を識別するＵＥ-ＩＤ及びＡＧ情報のエラー検出のためのＣＲＣを運ぶ。前記ＵＥ-ＩＤ及びＣＲＣは、それぞれ１６ビットを備え、各ビットに応じてモジュロ-２演算が行われてＵＥ-ＩＤでマスキングされた１６ビットのＣＲＣの形態で伝送される。このように生成された１６ビットのＣＲＣをＵＥ-ＩＤ specific ＣＲＣという。前記端末は前記ＵＥ-ＩＤ specific ＣＲＣを用いて受信したＡＧ情報が自分に割当てられたかを調べる。
【０１２０】
前記８ビットのＡＧ情報と前記１６ビットのＵＥ-ＩＤ specific ＣＲＣを連接させた合計２４ビットの制御情報に８ビットのテールビットを加えた後に、符号率１/２、拘束長９の畳込み符号で符号化すれば、６４ビットの符号化されたビット列からなる一つのチャンネル符号化されたブロックが生成される。前記６４ビットのチャンネル符号化されたブロックは、拡散指数２５６及びＱＰＳＫ変調方式を使用する２ｍｓのＥ−ＡＧＣＨ ＴＴＩで伝送されるために４ビットの穿孔が行われる。これにより、６０ビットのレートマッチングされたブロックが生成される。前記穿孔ビットの位置を示すレートマッチングパターンはシミュレーション過程で前記レートマッチングされたブロック内の各ビットの位置によるビットエラー率の変化を減らすことにより、ブロックエラー率の性能を改善させる。次のようなレートマッチングパターンを使用することができる。
【０１２１】
レートマッチングパターン＝{2, 10, 60, 63}または{2, 6, 60, 63}
前記レートマッチングパターンの各成分は番号１から番号６４までのチャンネル符号化されたビットのうち、穿孔ビットの位置を示す。仮に、Ｅ−ＡＧＣＨのＴＴＩの長さが１０ｍｓであれば、前記２ｍｓ ＴＴＩのＥ−ＡＧＣＨの構造を五回繰り返して１０ｍｓ ＴＴＩのＥ−ＡＧＣＨを具現する。
【０１２２】
図３を参照して本発明の実施形態９を具現するためのＥ−ＡＧＣＨの基地局送信装置を説明する。
図３を参照すれば、８ビットのＡＧ情報３０２はＵＥ-ＩＤ specific ＣＲＣ結合器３０４に印加され、前記ＵＥ-ＩＤ specific ＣＲＣ結合器３０４は前記ＡＧ情報から１６ビットのＣＲＣを生成する。前記ＵＥ-ＩＤ specific ＣＲＣ結合器３０４は前記１６ビットのＣＲＣと前記ＡＧ情報が適用される端末を識別するための１６ビットのＵＥ-ＩＤとをモジュロ-２演算してＵＥ-ＩＤ specific ＣＲＣを生成した後に、前記生成されたＵＥ-ＩＤ specific ＣＲＣを前記ＡＧ情報と結合して２４ビットの制御情報をチャンネル符号化器３０８に印加する。前記チャンネル符号化器３０８は拘束長９、符号率１/２の畳込み符号を用いることにより、前記２４ビットの制御情報に対して８ビットのテールビットを追加した後に、１/２の符号率を適用して６４個の符号化されたビットからなる符号化されたブロックを出力する。
【０１２３】
レートマッチング部３１０は前記６４ビットサイズの符号化されたブロックに対して所定のレートマッチングパターンに応じて穿孔を行いレートマッチングされたブロックを生成し、物理チャンネルマッピング部３１２は前記レートマッチングされたブロックをＥ−ＡＧＣＨ３１４の２ｍｓ ＴＴＩの構造に合う物理チャンネルフレームにマッピングさせてＥ−ＡＧＣＨ３１４に伝送する。この際、制御情報送信制御器３１６はＵＥ-ＩＤ specific ＣＲＣ結合器３０４、チャンネル符号化器３０８、レートマッチング部３１０及び物理チャンネルマッピング部３１２などによる、Ｅ−ＤＣＨのための制御情報の伝送を制御する。制御情報送信制御器３１６は上述したレートマッチングパターンのうち、少なくとも一つを貯蔵し、前記レートマッチング部３１０に前記レートマッチングパターンのうち、予め約束した一つを適用する。
【０１２４】
図４を参照して本発明の実施形態９を具現するためのＥ−ＡＧＣＨの端末受信装置を説明する。
図４を参照すれば、端末はＥ−ＡＧＣＨ４０２を用いて信号を受信し、逆物理チャンネルマッピング部４０４は前記信号から２ｍｓのＴＴＩでレートマッチングされたブロックを抽出して逆レートマッチング部４０６に印加する。前記逆レートマッチング部４０６は基地局のレートマッチング部３１０で使用されたものと同じレートマッチングパターンを適用して前記レートマッチングされたブロックに対して前記レートマッチング部３１０で穿孔されたビットを復旧（逆穿孔）して符号化されたブロックを構成する。一方、前記Ｅ−ＡＧＣＨが２ｍｓのＴＴＩを五回繰り返した１０ｍｓのＴＴＩを使用すれば、前記逆物理チャンネルマッピング部４０４と逆レートマッチング部４０６は２ｍｓのＴＴＩに対する同じ動作を五回繰り返して符号化されたサブブロックを構成した後に、前記符号化されたサブブロックを一つの符号化されたブロックに結合する。
【０１２５】
チャンネル復号化器４０８は前記符号化されたブロックを復号してＵＥ-ＩＤ specific ＣＲＣ分離器４１０に印加する。前記復号されたブロックは８ビットのＡＧ情報と１６ビットのＵＥ-ＩＤ specific ＣＲＣに分離される。前記ＵＥ-ＩＤ specific ＣＲＣ分離器４１０は前記１６ビットのＵＥ-ＩＤ specific ＣＲＣと前記端末の１６ビットのＵＥ-ＩＤ４１２をモジュロ-２演算して１６ビットのＣＲＣを抽出し、前記抽出したＣＲＣと前記ＡＧ情報をＣＲＣ検査器４１４に印加する。前記ＣＲＣ検査器４１４は前記１６ビットのＣＲＣを検査して前記ＡＧ情報のエラー有無を調べる。前記ＣＲＣの検査に成功すれば、前記ＣＲＣ検査器４１４は前記ＡＧ情報をエラーのないＡＧ情報４１６として出力し、前記ＡＧ情報４１６はＥ−ＤＣＨによるパケットデータの最大許容データレートの決定に用いられる。一方、前記ＣＲＣの検査に失敗すれば、前記ＡＧ情報は廃棄される。
【０１２６】
この際、制御情報受信制御器４１８は逆物理チャンネルマッピング部４０４、逆レートマッチング部４０６、チャンネル復号化器４０８、ＵＥ-ＩＤ specific ＣＲＣ分離器４１０及びＣＲＣ検査器４１４などによる、Ｅ−ＤＣＨのための制御情報の受信動作を制御する。
【０１２７】
＜実施形態１０＞
本発明の実施形態１０はＡＧ情報が９ビットからなる場合に対するレートマッチングパターンを示す。例えば、前記ＡＧ情報は端末が使用可能な最大上りリンク無線資源の量を示す端末の７ビットの最大許容データレート又は、それに相当する７ビットのパワーオフセット、前記ＡＧ情報の有効時間を指示する１ビットのＡＧ有効時間指示子及び前記ＡＧ情報がＨＡＲＱの一つのプロセスのみで又はＨＡＲＱの全てのプロセスで有効であるかどうかを示す１ビットのＡＧ有効プロセス指示子で構成されるか、または前記端末の８ビットの最大許容データレート又は、それに相当するパワーオフセット及び前記ＡＧ情報の有効時間を指示する１ビットのＡＧ有効時間指示子で構成される。
【０１２８】
その他の場合、前記ＡＧ情報は前記端末の８ビットの最大許容データレート又は、それに相当するパワーオフセット及び１ビットのＡＧ有効プロセス指示子で構成されるか、または前記端末の最大許容データレート又は、それに相当するパワーオフセット、前記ＡＧ有効時間指示子、前記ＡＧ有効プロセス指示子及び他のＥ−ＡＧＣＨの制御のためのビットを含み全部で９ビットで構成される。
【０１２９】
一方、前記Ｅ−ＡＧＣＨは前記ＡＧ情報とともに、共通チャンネル上で各端末を識別するＵＥ-ＩＤ及びＡＧ情報のエラー検出のためのＣＲＣを運ぶ。前記ＵＥ-ＩＤ及びＣＲＣは、それぞれ１６ビットを備え、各ビットに応じてモジュロ-２演算が行われてＵＥ-ＩＤでマスキングされた１６ビットのＣＲＣの形態で伝送される。このように生成された１６ビットのＣＲＣをＵＥ-ＩＤ specific ＣＲＣという。前記端末は前記ＵＥ-ＩＤ specific ＣＲＣを用いて受信したＡＧ情報が自分に割当てられたかを調べる。
【０１３０】
前記９ビットのＡＧ情報と前記１６ビットのＵＥ-ＩＤ specific ＣＲＣを連接させた合計２５ビットの制御情報に８ビットのテールビットを加えた後に、符号率１/２、拘束長９の畳込み符号で符号化すれば、６６ビットの符号化されたビット列からなる一つのチャンネル符号化されたブロックが生成される。前記６６ビットのチャンネル符号化されたブロックは、拡散指数２５６及びＱＰＳＫ変調方式を使用する２ｍｓのＥ−ＡＧＣＨ ＴＴＩで伝送されるために６ビットの穿孔が行われる。これにより、６０ビットのレートマッチングされたブロックが生成される。前記穿孔ビットの位置を示すレートマッチングパターンはシミュレーション過程で前記レートマッチングされたブロック内の各ビットの位置によるビットエラー率の変化を減らすことにより、ブロックエラー率の性能を改善させる。次のようなレートマッチングパターンのうち、一つを使用することができる。
【０１３１】
レートマッチングパターン＝
{1, 3, 7, 59, 63, 66} 又は {1, 4, 10, 59, 63, 66}
前記レートマッチングパターンの各成分は番号１から番号６６までのチャンネル符号化されたビットのうち、穿孔されるビットの位置を示す。仮に、前記Ｅ−ＡＧＣＨのＴＴＩの長さが１０ｍｓであれば、前記２ｍｓ ＴＴＩのＥ−ＡＧＣＨの構造を五回繰り返して１０ｍｓ ＴＴＩのＥ−ＡＧＣＨを具現することができる。
【０１３２】
図３を参照して本発明の実施形態１０を具現するためのＥ−ＡＧＣＨの基地局送信装置を説明する。
図３を参照すれば、９ビットのＡＧ情報３０２はＵＥ-ＩＤ specific ＣＲＣ結合器３０４に印加され、前記ＵＥ-ＩＤ specific ＣＲＣ結合器３０４は前記ＡＧ情報から１６ビットのＣＲＣを生成する。前記ＵＥ-ＩＤ specific ＣＲＣ結合器３０４は前記１６ビットのＣＲＣと前記ＡＧ情報が適用される端末を識別するための１６ビットのＵＥ-ＩＤとをモジュロ-２演算してＵＥ-ＩＤ specific ＣＲＣを生成した後に、前記生成されたＵＥ-ＩＤ specific ＣＲＣを前記ＡＧ情報と結合して２５ビットの制御情報をチャンネル符号化器３０８に印加する。
【０１３３】
前記チャンネル符号化器３０８は拘束長９、符号率１/２の畳込み符号を用ることにより、前記２５ビットの制御情報に対して８ビットのテールビットを追加した後に、１/２の符号率を適用して６６個の符号化されたビットからなる符号化ブロックを出力する。レートマッチング部３１０は前記６６ビットサイズのチャンネル符号化ブロックに対して所定のレートマッチングパターンに応じて穿孔を行いレートマッチングされたブロックを生成し、物理チャンネルマッピング部３１２は前記レートマッチングされたブロックをＥ−ＡＧＣＨ３１４の２ｍｓ ＴＴＩの構造に合う物理チャンネルフレームにマッピングさせてＥ−ＡＧＣＨ３１４に伝送する。
【０１３４】
この際、制御情報送信制御器３１６はＵＥ-ＩＤ specific ＣＲＣ結合器３０４、チャンネル 符号化器３０８、レートマッチング部３１０及び物理チャンネルマッピング部３１２などによる、Ｅ−ＤＣＨのための制御情報の伝送を制御する。前記制御情報送信制御器３１６は前記複数のレートマッチングパターンのうち、少なくとも一つを貯蔵し、前記レートマッチング部３１０に前記レートマッチングパターンのうち、予め約束した一つを適用する。
【０１３５】
図４を参照して本発明の実施形態１０を具現するためのＥ−ＡＧＣＨの端末受信装置を説明する。
図４を参照すれば、端末はＥ−ＡＧＣＨ４０２を用いて信号を受信し、逆物理チャンネルマッピング部４０４は前記信号から２ｍｓのＴＴＩでレートマッチングされたブロックを抽出して逆レートマッチング部４０６に印加する。前記逆レートマッチング部４０６は基地局のレートマッチング部３１０で使用されたものと同じレートマッチングパターンを適用して前記レートマッチングされたブロックに対して前記レートマッチング部３１０で穿孔されたビットを復旧（逆穿孔）して符号化されたブロックを構成する。一方、前記Ｅ−ＡＧＣＨが２ｍｓのＴＴＩを五回繰り返した１０ｍｓのＴＴＩを使用すれば、前記逆物理チャンネルマッピング部４０４と逆レートマッチング部４０６は２ｍｓのＴＴＩに対する同じ動作を五回繰り返して符号化されたサブブロックを構成した後に、前記符号化されたサブブロックを一つの符号化されたブロックに結合する。
【０１３６】
チャンネル復号化器４０８は前記符号化ブロックを復号してＵＥ-ＩＤ specific ＣＲＣ分離器４１０に印加する。前記復号されたブロックは９ビットのＡＧ情報と１６ビットのＵＥ-ＩＤ specific ＣＲＣに分離される。前記ＵＥ-ＩＤ specific ＣＲＣ分離器４１０は、前記１６ビットのＵＥ-ＩＤ specific ＣＲＣと前記端末の１６ビットのＵＥ-ＩＤ４１２をモジュロ-２演算して１６ビットのＣＲＣを抽出し、前記抽出したＣＲＣと前記ＡＧ情報をＣＲＣ検査器４１４に印加する。前記ＣＲＣ検査器４１４は前記１６ビットのＣＲＣを検査して前記ＡＧ情報のエラー有無を調べる。前記ＣＲＣの検査に成功すれば、前記ＣＲＣ検査器４１４は前記ＡＧ情報をエラーのないＡＧ情報４１６として出力し、前記ＡＧ情報４１６はＥ−ＤＣＨによるパケットデータの最大許容データレートの決定に用いられる。一方、前記ＣＲＣの検査に失敗すれば、前記ＡＧ情報は廃棄される。
【０１３７】
この際、制御情報受信制御器４１８は逆物理チャンネルマッピング部４０４、逆レートマッチング部４０６、チャンネル復号化器４０８、ＵＥ-ＩＤ specific ＣＲＣ分離器４１０及びＣＲＣ検査器４１４などによる、Ｅ−ＤＣＨのための制御情報の受信動作を制御する。
【０１３８】
＜実施形態１１＞
本発明の実施形態１１はＡＧ情報が１０ビットからなる場合に対するレートマッチングパターンを示す。例えば、前記ＡＧ情報は端末が使用可能な最大上りリンク無線資源の量を示す端末の８ビットの最大許容データレート又は、それに相当する８ビットのパワーオフセット、前記ＡＧ情報の有効時間を指示する１ビットのＡＧ有効時間指示子及び前記ＡＧ情報がＨＡＲＱの一つのプロセスのみで又はＨＡＲＱの全てのプロセスで有効であるかどうかを示す１ビットのＡＧ有効プロセス指示子で構成されるか、または前記端末の９ビットの最大許容データレート又は、それに相当するパワーオフセット及び１ビットのＡＧ有効時間指示子で構成される。
【０１３９】
その他の場合、前記ＡＧ情報は前記端末の９ビットの最大許容データレート又は、それに相当するパワーオフセット及び１ビットのＡＧ有効プロセス指示子で構成されるか、または前記端末の最大許容データレート又は、それに相当するパワーオフセット、前記ＡＧ有効時間指示子、前記ＡＧ有効プロセス指示子及び他のＥ−ＡＧＣＨの制御のためのビットを含み全部で１０ビットで構成される。
【０１４０】
一方、前記Ｅ−ＡＧＣＨは前記ＡＧ情報とともに、共通チャンネル上で各端末を識別するＵＥ-ＩＤ及びＡＧ情報のエラー検出のためのＣＲＣを運ぶ。前記ＵＥ-ＩＤ及びＣＲＣは、それぞれ１６ビットを備え、各ビットに応じてモジュロ-２演算が行われてＵＥ-ＩＤでマスキングされた１６ビットのＣＲＣの形態で伝送される。このように生成された１６ビットのＣＲＣをＵＥ-ＩＤ specific ＣＲＣという。前記端末は前記ＵＥ-ＩＤ specific ＣＲＣを用いて受信したＡＧ情報が自分に割当てられたかを調べる。
【０１４１】
前記１０ビットのＡＧ情報と前記１６ビットのＵＥ-ＩＤ specific ＣＲＣを連接させた合計２６ビットの制御情報に８ビットのテールビットを加えた後に、符号率１/２、拘束長９の畳込み符号で符号化すれば、６８ビットの符号化されたビット列からなる一つのチャンネル符号化されたブロックが生成される。前記６８ビットのチャンネル符号化ブロックは、拡散指数２５６及びＱＰＳＫ変調方式を使用する２ｍｓのＥ−ＡＧＣＨ ＴＴＩで伝送されるために８ビットの穿孔を行う。これにより、６０ビットのレートマッチングされたブロックが生成される。前記穿孔ビットの位置を示すレートマッチングパターンはシミュレーション過程で前記レートマッチングされたブロック内の各ビットの位置によるビットエラー率の変化を減らすことにより、ブロックエラー率の性能を改善させる。次のようなレートマッチングパターンのうち、一つを使用することができる。
【０１４２】
レートマッチングパターン＝
{1, 2, 3, 8, 49, 65, 67, 68}  または  {2, 5, 6, 10, 54, 59, 63, 68}
前記レートマッチングパターンの各成分は番号１から番号６８までのチャンネル符号化されたビットのうち、穿孔されるビットの位置を示す。仮に、Ｅ−ＡＧＣＨのＴＴＩの長さが１０ｍｓであれば、前記２ｍｓ ＴＴＩのＥ−ＡＧＣＨの構造を五回繰り返した１０ｍｓ ＴＴＩのＥ−ＡＧＣＨを具現できる。
【０１４３】
図３を参照して本発明の実施形態１１を具現するためのＥ−ＡＧＣＨの基地局送信装置を説明する。  図３を参照すれば、１０ビットのＡＧ情報３０２はＵＥ-ＩＤ specific ＣＲＣ結合器３０４に印加され、前記ＵＥ-ＩＤ specific ＣＲＣ結合器３０４は前記ＡＧ情報から１６ビットのＣＲＣを生成する。前記ＵＥ-ＩＤ specific ＣＲＣ結合器３０４は前記１６ビットのＣＲＣと前記ＡＧ情報が適用される端末を識別するための１６ビットのＵＥ-ＩＤとをモジュロ-２演算してＵＥ-ＩＤspecific ＣＲＣを生成した後に、前記生成されたＵＥ-ＩＤ specific ＣＲＣを前記ＡＧ情報と結合して２６ビットの制御情報をチャンネル符号化器３０８に印加する。前記チャンネル符号化器３０８は拘束長９、符号率１/２の畳込み符号を用ることにより、前記２６ビットの制御情報に対して８ビットのテールビットを追加した後に、１/２の符号率を適用して６８個の符号化されたビットからなる符号化ブロックを出力する。
【０１４４】
レートマッチング部３１０は前記６８ビットサイズの符号化ブロックに対して所定のレートマッチングパターンに応じて穿孔を行いレートマッチングされたブロックを生成し、物理チャンネルマッピング部３１２は前記レートマッチングされたブロックをＥ−ＡＧＣＨ３１４の２ｍｓ ＴＴＩの構造に合う物理チャンネルフレームにマッピングさせてＥ−ＡＧＣＨ３１４に伝送する。この際、制御情報送信制御器３１６はＵＥ-ＩＤ specific ＣＲＣ結合器３０４、チャンネル符号化器３０８、レートマッチング部３１０及び物理チャンネルマッピング部３１２などによる、Ｅ−ＤＣＨのための制御情報の伝送を制御する。詳しくは、前記制御情報送信制御器３１６は前記複数のレートマッチングパターンのうち、少なくとも一つを貯蔵し、前記レートマッチング部３１０に前記レートマッチングパターンのうち、予め約束した一つを適用する。
【０１４５】
図４を参照して本発明の実施形態１１を具現するためのＥ−ＡＧＣＨの端末受信装置を説明する。
図４を参照すれば、端末はＥ−ＡＧＣＨ４０２を用いて信号を受信し、逆物理チャンネルマッピング部４０４は前記信号から２ｍｓのＴＴＩでレートマッチングされたブロックを抽出して逆レートマッチング部４０６に印加する。前記逆レートマッチング部４０６は基地局のレートマッチング部３１０で使用されたものと同じレートマッチングパターンを適用して前記レートマッチングされたブロックに対して前記レートマッチング部３１０で穿孔されたビットを復旧（逆穿孔）して符号化ブロックを構成する。一方、前記Ｅ−ＡＧＣＨが２ｍｓのＴＴＩを五回繰返し構成した１０ｍｓのＴＴＩを使用すれば、前記逆物理チャンネルマッピング部４０４と逆レートマッチング部４０６は２ｍｓのＴＴＩに対する同じ動作を五回繰り返して符号化されたサブブロックを構成した後に、前記符号化サブブロックを一つの符号化ブロックに結合する。
【０１４６】
チャンネル復号化器４０８は前記符号化ブロックを復号してＵＥ-ＩＤ specific ＣＲＣ分離器４１０に印加する。前記復号されたブロックは１０ビットのＡＧ情報と１６ビットのＵＥ-ＩＤ specific ＣＲＣに分離される。前記ＵＥ-ＩＤ specific ＣＲＣ分離器４１０は、前記１６ビットのＵＥ-ＩＤ specific ＣＲＣと前記端末の１６ビットのＵＥ-ＩＤ４１２をモジュロ-２演算して１６ビットのＣＲＣを抽出し、前記抽出したＣＲＣと前記ＡＧ情報をＣＲＣ検査器４１４に印加する。前記ＣＲＣ検査器４１４は前記１６ビットのＣＲＣを検査して前記ＡＧ情報のエラー有無を調べる。前記ＣＲＣの検査に成功すれば、前記ＣＲＣ検査器４１４は前記ＡＧ情報をエラーのないＡＧ情報４１６として出力し、前記ＡＧ情報４１６はＥ−ＤＣＨによるパケットデータの最大許容データレートの決定に用いられる。一方、前記ＣＲＣの検査に失敗すれば、前記ＡＧ情報は廃棄される。
【０１４７】
この際、制御情報受信制御器４１８は逆物理チャンネルマッピング部４０４、逆レートマッチング部４０６、チャンネル復号化器４０８、ＵＥ-ＩＤ specific ＣＲＣ分離器４１０及びＣＲＣ検査器４１４などによる、Ｅ−ＤＣＨに対する制御情報の受信動作を制御する。
【０１４８】
以上、本発明の詳細について具体的な実施の形態に基づき説明してきたが、本発明の範囲を逸脱しない限り、各種の変形が可能なのは明らかである。従って、本発明の範囲は、前記実施の形態に限定されるものではなく、特許請求の範囲の記載及び該記載と同等なものにより定められるべきである。
【図面の簡単な説明】
【０１４９】
【図１】Ｅ−ＤＣＨによる典型的なデータ送受信過程を示した信号の流れ図である。
【図２Ａ】それぞれ符号率１/３、１/２である畳込み符号化器を示した図である。
【図２Ｂ】それぞれ符号率１/３、１/２である畳込み符号化器を示した図である。
【図３】本発明の好ましい実施形態による基地局送信装置を示した図である。
【図４】本発明の好ましい実施形態による端末受信装置を示した図である。
【符号の説明】
【０１５０】
３０４…ＵＥ-ＩＤ specific ＣＲＣ結合器
３０８…チャンネル符号化器
３１０…レートマッチング部
３１２…物理チャンネルマッピング部
３１６…制御情報送信制御器
４０４…逆物理チャンネルマッピング部
４０６…逆レートマッチング部
４０８…チャンネル復号化器
４１０…ＵＥ-ＩＤ specific ＣＲＣ分離器
４１４…ＣＲＣ検査器
４１８…制御情報受信制御器
【図１】
2006166438.tif 000004
【図２Ａ】
2006166438.tif 000005
【図２Ｂ】
2006166438.tif 000006
【図３】
2006166438.tif 000007
【図４】
2006166438.tif 000008
【外国語明細書】
2006166438.tif 000009
2006166438.tif 000010
2006166438.tif 000011
2006166438.tif 000012
2006166438.tif 000013
2006166438.tif 000014
2006166438.tif 000015
2006166438.tif 000016
2006166438.tif 000017
2006166438.tif 000018
2006166438.tif 000019
2006166438.tif 000020
2006166438.tif 000021
2006166438.tif 000022
2006166438.tif 000023
2006166438.tif 000024
2006166438.tif 000025
2006166438.tif 000026
2006166438.tif 000027
2006166438.tif 000028
2006166438.tif 000029
2006166438.tif 000030
2006166438.tif 000031
2006166438.tif 000032
2006166438.tif 000033
2006166438.tif 000034
2006166438.tif 000035
2006166438.tif 000036
2006166438.tif 000037
2006166438.tif 000038
2006166438.tif 000039
2006166438.tif 000040
2006166438.tif 000041
2006166438.tif 000042
2006166438.tif 000043
2006166438.tif 000044
2006166438.tif 000045
2006166438.tif 000046
2006166438.tif 000047
2006166438.tif 000048
2006166438.tif 000049